(57)【要約】【課題】煩雑な表示切り換え操作を必要とせずに、コンテンツを複数確認させることができる通信装置、通信システムおよび制御プログラムを提供すること。【解決手段】ＭＦＰ１０は、表示パネル５０でスクロール表示されているコンテンツ要約文字列１４４に対応するコンテンツＵＲＬ１４６の全てを出力するように指示されると、そのコンテンツＵＲＬ１４６の全てを、更新コンテンツ情報１３２を使用して特定してＰＣ７０，７１へ出力する。ＰＣ７０，７１は、ＭＦＰ１０から出力されたコンテンツＵＲＬ１４６を受信すると、コンテンツ提供サーバ９０，９１にアクセスして、ＭＦＰ１０から出力された全てのコンテンツＵＲＬ１４６の示す各コンテンツを、表示部８２へ一編に表示する。よって、ＭＦＰシステム２のユーザは、煩雑な表示切り換え操作を必要とせずに、コンテンツを複数確認することができる。【選択図】図７
2010103880.tif 000002
【特許請求の範囲】
【請求項１】
コンテンツのタイトルとそのコンテンツの位置情報とを少なくとも含むと共に、前記コンテンツのタイトルとそのコンテンツの位置情報とを複数含むことが可能なコンテンツ関連情報の位置情報である関連位置情報が示す装置にアクセス可能な通信装置であって、
前記関連位置情報を複数記憶可能な位置情報記憶手段と、
その位置情報記憶手段に記憶された関連位置情報が示す装置のそれぞれにアクセスして、前記装置の各々から前記コンテンツ関連情報をそれぞれ取得する関連情報取得手段と、
その関連情報取得手段により取得されたコンテンツ関連情報を記憶する関連情報記憶手段と、
その関連情報記憶手段に記憶されたコンテンツ関連情報に含まれるコンテンツのタイトルの１つを１行の表示形態で表示可能な表示領域が複数設けられた複数表示手段と、
前記関連情報記憶手段に記憶されたコンテンツ関連情報を使用して、そのコンテンツ関連情報に含まれるコンテンツのタイトルをそれぞれ、前記複数表示手段の表示領域に対応させて固定表示する表示制御手段と、
その表示制御手段により前記表示領域に固定表示されたコンテンツのタイトルの選択を複数受け付け可能な受付手段と、
その受付手段により選択が受け付けられた前記コンテンツのタイトルに対応する前記コンテンツの位置情報の全てを前記関連情報記憶手段に記憶されたコンテンツ関連情報を使用して特定する特定手段と、
その特定手段により特定された前記全てのコンテンツの位置情報を、そのコンテンツの位置情報が示す記憶装置にアクセスしてその記憶装置に記憶されたコンテンツを表示可能な通信表示手段へ出力する出力手段とを備えていることを特徴とする通信装置。
【請求項２】
前記受付手段は、
前記複数表示手段の表示領域に固定表示されたコンテンツのタイトルのそれぞれに対して、そのコンテンツのタイトルの選択を示す第１の操作が行われたか否かを判定する第１判定手段と、
その第１判定手段により前記第１の操作が行われたと判定されたコンテンツのタイトルに対応する前記コンテンツの位置情報の全ての出力を受け付け可能な出力受付手段とを備え、
前記特定手段は、前記第１の操作が行われたと判定されたコンテンツのタイトルに対応する前記コンテンツの位置情報の全ての出力が前記出力受付手段により受け付けられた場合に、そのコンテンツの位置情報の全てを、前記関連情報記憶手段に記憶されたコンテンツ関連情報を使用して特定する第１特定手段を備え、
前記出力手段は、前記第１特定手段により特定された前記全てのコンテンツの位置情報を前記通信表示手段へ出力する第１出力手段を備えていることを特徴とする請求項１記載の通信装置。
【請求項３】
前記コンテンツ関連情報は、前記コンテンツが要約された情報である要約情報を更に含むものであり、
前記コンテンツ関連情報に含まれる前記コンテンツの要約情報の１つを複数行の表示形態で表示可能な要約表示領域が１つ設けられた単数表示手段を備え、
前記受付手段は、
前記複数表示手段の表示領域に固定表示されたコンテンツのタイトルの１つに対して、そのコンテンツのタイトルの選択を示す前記第１の操作とは操作が異なる第２の操作が行われたか否かを判定する第２判定手段と、
その第２判定手段により前記１のコンテンツのタイトルに対して前記第２の操作が行われたと判定された場合に、その第２の操作が行われた前記１のコンテンツのタイトルに対応する１の前記コンテンツの要約情報を前記関連情報記憶手段に記憶されたコンテンツ関連情報を使用して特定し、その特定した前記１のコンテンツの要約情報を前記単数表示手段の要約表示領域に表示する要約表示手段と、
その要約表示手段により前記要約表示領域に表示された前記１のコンテンツの要約情報に対して、その１のコンテンツの要約情報の選択を示す前記第２の操作が行われたか否かを判定する要約判定手段とを備え、
前記特定手段は、前記要約判定手段により前記１のコンテンツの要約情報に対して前記第２の操作が行われた場合に、その第２の操作が行われた前記１のコンテンツの要約情報に対応する１の前記コンテンツの位置情報を前記関連情報記憶手段に記憶されたコンテンツ関連情報を使用して特定する第２特定手段を備え、
前記出力手段は、前記第２特定手段により特定された前記１のコンテンツの位置情報を前記通信表示手段へ出力する第２出力手段を備えていることを特徴とする請求項２記載の通信装置。
【請求項４】
コンテンツのタイトルとそのコンテンツが要約された情報である要約情報とを少なくとも含むと共に、前記コンテンツのタイトルとそのコンテンツの要約情報とを複数含むことが可能なコンテンツ関連情報の位置情報である関連位置情報が示す装置にアクセス可能な通信装置であって、
前記関連位置情報を複数記憶可能な位置情報記憶手段と、
その位置情報記憶手段に記憶された関連位置情報が示す装置のそれぞれにアクセスして、前記装置の各々から前記コンテンツ関連情報をそれぞれ取得する関連情報取得手段と、
その関連情報取得手段により取得されたコンテンツ関連情報を記憶する関連情報記憶手段と、
その関連情報記憶手段に記憶されたコンテンツ関連情報に含まれるコンテンツのタイトルの１つを１行の表示形態で表示可能な表示領域が複数設けられた複数表示手段と、
前記関連情報記憶手段に記憶されたコンテンツ関連情報を使用して、そのコンテンツ関連情報に含まれるコンテンツのタイトルをそれぞれ、前記複数表示手段の表示領域に対応させて固定表示する表示制御手段と、
その表示制御手段により前記表示領域に固定表示されたコンテンツのタイトルの選択を複数受け付け可能な受付手段と、
その受付手段により選択が受け付けられた前記コンテンツのタイトルに対応する前記コンテンツの要約情報を前記関連情報記憶手段に記憶されたコンテンツ関連情報を使用して特定する特定手段と、
その特定手段により特定された前記コンテンツの要約情報を、その特定された要約情報に対応する前記コンテンツのタイトルが固定表示された表示領域に、そのタイトルの固定表示に代えてスクロール表示させるスクロール表示手段とを備えていることを特徴とする通信装置。
【請求項５】
前記受付手段は、前記複数表示手段の表示領域に固定表示されたコンテンツのタイトルのそれぞれに対して、前記コンテンツのタイトルの選択を示す第１の操作が行われたか否かを判定する第１判定手段を備え、
前記特定手段は、前記第１判定手段により前記第１の操作が行われたと判定されたコンテンツのタイトルに対応する前記コンテンツの要約情報の全てを、前記関連情報記憶手段に記憶されたコンテンツ関連情報を使用して特定する要約特定手段を備え、
前記スクロール表示手段は、前記要約特定手段により特定された前記全てのコンテンツの要約情報を、その特定された要約情報の各々に対応する前記コンテンツのタイトルが固定表示された表示領域に、そのタイトルの固定表示に代えてスクロール表示させる第１スクロール表示手段を備えていることを特徴とする請求項４記載の通信装置。
【請求項６】
前記コンテンツ関連情報は、前記コンテンツの位置情報を更に含むものであり、
前記第１スクロール表示手段により前記表示領域にスクロール表示されているコンテンツの要約情報に対応する前記コンテンツの位置情報の全ての出力を受け付け可能な出力受付手段と、
前記スクロール表示されているコンテンツの要約情報に対応する前記コンテンツの位置情報の全ての出力が前記出力受付手段により受け付けられた場合に、その全ての前記コンテンツの位置情報を前記関連情報記憶手段に記憶されたコンテンツ関連情報を使用して特定する位置情報特定手段と、
その位置情報特定手段により特定された前記全てのコンテンツの位置情報を、そのコンテンツの位置情報が示す記憶装置にアクセスしてその記憶装置に記憶されたコンテンツを表示可能な通信表示手段へ出力する出力手段とを備えていることを特徴とする請求項５記載の通信装置。
【請求項７】
コンテンツのタイトルとそのコンテンツの位置情報とを少なくとも含むと共に、前記コンテンツのタイトルとそのコンテンツの位置情報とを複数含むことが可能なコンテンツ関連情報の位置情報である関連位置情報が示す装置にアクセス可能な通信装置であって、
前記関連位置情報を複数記憶可能な位置情報記憶手段と、
その位置情報記憶手段に記憶された関連位置情報が示す装置のそれぞれにアクセスして、前記装置の各々から前記コンテンツ関連情報をそれぞれ取得する関連情報取得手段と、
その関連情報取得手段により取得されたコンテンツ関連情報を記憶する関連情報記憶手段と、
その関連情報記憶手段に記憶されたコンテンツ関連情報に含まれるコンテンツのタイトルの１つを１行の表示形態で表示可能な表示領域が複数設けられた複数表示手段と、
前記関連情報記憶手段に記憶されたコンテンツ関連情報を使用して、そのコンテンツ関連情報に含まれるコンテンツのタイトルをそれぞれ、前記複数表示手段の表示領域に対応させて固定表示する表示制御手段と、
その表示制御手段により前記表示領域に固定表示されたコンテンツのタイトルに対応する前記コンテンツの位置情報の全ての出力を受け付け可能な全受付手段と、
前記表示領域に固定表示されたコンテンツのタイトルに対応する前記コンテンツの位置情報の全ての出力が前記全受付手段により受け付けられた場合に、その全ての前記コンテンツの位置情報を前記関連情報記憶手段に記憶されたコンテンツ関連情報を使用して特定する全位置情報特定手段と、
その全位置情報特定手段により特定された前記全てのコンテンツの位置情報を、そのコンテンツの位置情報が示す記憶装置にアクセスしてその記憶装置に記憶されたコンテンツを表示可能な通信表示手段へ出力する出力手段とを備えていることを特徴とする通信装置。
【請求項８】
前記関連情報記憶手段に記憶されたコンテンツ関連情報に含まれるコンテンツのタイトルを前記複数表示手段の表示領域のうちの１の表示領域を使用して順次スクロール表示させるタイトル表示手段と、
そのタイトル表示手段によって前記コンテンツのタイトルが前記１の表示領域に順次スクロールされている場合に、その表示されている前記コンテンツのタイトルの選択を受け付け可能なタイトル受付手段と、
そのタイトル受付手段により前記コンテンツのタイトルの選択が受け付けられた場合に、そのコンテンツのタイトルを含むコンテンツ関連情報を特定する関連情報特定手段とを備え、
前記表示制御手段は、前記関連情報特定手段により特定されたコンテンツ関連情報に含まれる全てのコンテンツのタイトルをそれぞれ、前記複数表示手段の表示領域に対応させて固定表示する全表示制御手段を備え、
前記全受付手段は、前記全表示制御手段により前記表示領域に固定表示されたコンテンツのタイトルに対応する前記コンテンツの位置情報の全ての出力を受け付け可能な第２全受付手段を備え、
前記全位置情報特定手段は、前記表示領域に固定表示されたコンテンツのタイトルに対応する前記コンテンツの位置情報の全ての出力が前記第２全受付手段により受け付けられた場合に、その全ての前記コンテンツの位置情報を前記関連情報記憶手段に記憶されたコンテンツ関連情報を使用して特定する第２全位置情報特定手段を備え、
前記出力手段は、前記第２全位置情報特定手段により特定された前記全てのコンテンツの位置情報を前記通信表示手段へ出力する全出力手段を備えていることを特徴とする請求項７記載の通信装置。
【請求項９】
前記通信装置は、前記コンテンツのタイトルを少なくとも表示可能な表示画面を備え、
前記通信表示手段は、前記通信装置と別体に設けられると共にその通信装置と通信可能に構成され、その通信装置の表示画面よりも広い表示画面を有する外部装置であることを特徴とする請求項１から３、または６から８のいずれかに記載の通信装置。
【請求項１０】
請求項１から３、または６から９のいずれかに記載の通信装置と、その通信装置から出力されたコンテンツの位置情報により示される記憶装置にアクセスしてその記憶装置に記憶されたコンテンツを表示可能な外部装置とを備えていることを特徴とする通信システム。
【請求項１１】
コンテンツのタイトルとそのコンテンツの位置情報とを少なくとも含むと共に、前記コンテンツのタイトルとそのコンテンツの位置情報とを複数含むことが可能なコンテンツ関連情報の位置情報である関連位置情報が示す装置にアクセス可能な通信装置により実行される制御プログラムであって、
前記関連位置情報を複数記憶可能な位置情報記憶手段に記憶された関連位置情報が示す装置のそれぞれにアクセスして、前記装置の各々から前記コンテンツ関連情報をそれぞれ取得する関連情報取得ステップと、
その関連情報取得ステップにより取得されたコンテンツ関連情報を関連情報記憶手段に記憶する記憶ステップと、
その記憶ステップにより前記関連情報記憶手段に記憶されたコンテンツ関連情報を使用して、そのコンテンツ関連情報に含まれるコンテンツのタイトルをそれぞれ、そのコンテンツのタイトルの１つを１行の表示形態で表示可能な表示領域が複数設けられた複数表示手段に、その表示領域に対応させて固定表示する表示制御ステップと、
その表示制御ステップにより前記複数表示手段の表示領域に固定表示されたコンテンツのタイトルの選択を複数受け付け可能な受付ステップと、
その受付ステップにより選択が受け付けられた前記コンテンツのタイトルに対応する前記コンテンツの位置情報の全てを前記関連情報記憶手段に記憶されたコンテンツ関連情報を使用して特定する特定ステップと、
その特定ステップにより特定された前記全てのコンテンツの位置情報を、そのコンテンツの位置情報が示す記憶装置にアクセスしてその記憶装置に記憶されたコンテンツを表示可能な通信表示手段へ出力する出力手段に出力させる出力ステップとを、前記通信装置に実行させることを特徴とする制御プログラム。
【請求項１２】
コンテンツのタイトルとそのコンテンツが要約された情報である要約情報とを少なくとも含むと共に、前記コンテンツのタイトルとそのコンテンツの要約情報とを複数含むことが可能なコンテンツ関連情報の位置情報である関連位置情報が示す装置にアクセス可能な通信装置により実行される制御プログラムであって、
前記関連位置情報を複数記憶可能な位置情報記憶手段に記憶された関連位置情報が示す装置のそれぞれにアクセスして、前記装置の各々から前記コンテンツ関連情報をそれぞれ取得する関連情報取得ステップと、
その関連情報取得ステップにより取得されたコンテンツ関連情報を関連情報記憶手段に記憶する記憶ステップと、
その記憶ステップにより前記関連情報記憶手段に記憶されたコンテンツ関連情報を使用して、そのコンテンツ関連情報に含まれるコンテンツのタイトルをそれぞれ、そのコンテンツのタイトルの１つを１行の表示形態で表示可能な表示領域が複数設けられた複数表示手段に、その表示領域に対応させて固定表示する表示制御ステップと、
その表示制御ステップにより前記複数表示手段の表示領域に固定表示されたコンテンツのタイトルの選択を複数受け付け可能な受付ステップと、
その受付ステップにより選択が受け付けられた前記コンテンツのタイトルに対応する前記コンテンツの要約情報を前記関連情報記憶手段に記憶されたコンテンツ関連情報を使用して特定する特定ステップと、
その特定ステップにより特定された前記コンテンツの要約情報を、その特定された要約情報に対応する前記コンテンツのタイトルが固定表示された表示領域に、そのタイトルの固定表示に代えてスクロール表示させるスクロール表示ステップとを、前記通信装置に実行させることを特徴とする制御プログラム。
【請求項１３】
コンテンツのタイトルとそのコンテンツの位置情報とを少なくとも含むと共に、前記コンテンツのタイトルとそのコンテンツの位置情報とを複数含むことが可能なコンテンツ関連情報の位置情報である関連位置情報が示す装置にアクセス可能な通信装置により実行される制御プログラムであって、
前記関連位置情報を複数記憶可能な位置情報記憶手段に記憶された関連位置情報が示す装置のそれぞれにアクセスして、前記装置の各々から前記コンテンツ関連情報をそれぞれ取得する関連情報取得ステップと、
その関連情報取得ステップにより取得されたコンテンツ関連情報を関連情報記憶手段に記憶する記憶ステップと、
その記憶ステップにより前記関連情報記憶手段に記憶されたコンテンツ関連情報を使用して、そのコンテンツ関連情報に含まれるコンテンツのタイトルをそれぞれ、そのコンテンツのタイトルの１つを１行の表示形態で表示可能な表示領域が複数設けられた複数表示手段に、その表示領域に対応させて固定表示する表示制御ステップと、
その表示制御ステップにより前記複数表示手段の表示領域に固定表示されたコンテンツのタイトルに対応する前記コンテンツの位置情報の全ての出力を受け付け可能な全受付ステップと、
前記表示領域に固定表示されたコンテンツのタイトルに対応する前記コンテンツの位置情報の全ての出力が前記全受付ステップにより受け付けられた場合に、その全ての前記コンテンツの位置情報を前記関連情報記憶手段に記憶されたコンテンツ関連情報を使用して特定する全位置情報特定ステップと、
その全位置情報特定ステップにより特定された前記全てのコンテンツの位置情報を、そのコンテンツの位置情報が示す記憶装置にアクセスしてその記憶装置に記憶されたコンテンツを表示可能な通信表示手段へ出力する出力手段に出力させる出力ステップとを、前記通信装置に実行させることを特徴とする制御プログラム。
【発明の詳細な説明】
【技術分野】
【０００１】
本発明は、通信装置、通信システムおよび制御プログラムに関するものである。
【背景技術】
【０００２】
ＲＳＳ（Ｒｅｓｏｕｒｃｅ  Ｄｃｓｃｒｉｐｔｉｏｎ  Ｆｒａｍｅｗｏｒｋ  Ｓｉｔｅ  Ｓｕｍｍａｒｙ）形式の記事を配信する配信サイトから、ＲＳＳ形式の記事を取得し、その取得したＲＳＳ形式の記事に含まれるタイトルの一覧等を表示する技術については、例えば、特開２００８−１６５６９２号公報に記載の情報処理装置が知られている。
【０００３】
この情報処理装置では、配信サイトから取得したＲＳＳ形式の記事に含まれるタイトルの一覧をＲＳＳ記事表示部１２へ表示すると共に、ボタン１３Ａ〜１３Ｆを、表示されたタイトルの一覧に対応させてＲＳＳ記事表示部１２へ表示している。このボタン１３Ａ〜１３Ｆによって、情報処理装置は、配信サイトから取得したＲＳＳ形式の記事に含まれるＵＲＬ（ＲＳＳ形式の記事によって概要が表示された元の情報のリンク先を示す情報）へアクセスして、元の情報が掲載されたＷｅｂサイト（以下、「コンテンツ」と称す）をＲＳＳ記事表示部１２へ表示させる指示をユーザから受け付けることができる。
【０００４】
よって、ユーザは、ボタン１３Ａ〜１３Ｆのいずれかを操作することで、その操作されたボタン１３Ａ〜１３Ｆのいずれかに対応するコンテンツをＲＳＳ記事表示部１２に表示させることができる。
【特許文献１】特開２００８−１６５６９２号公報
【発明の開示】
【発明が解決しようとする課題】
【０００５】
ここで、上述した特開２００８−１６５６９２号公報に記載された技術では、ボタン１３Ａ〜１３Ｆの操作に伴ってＲＳＳ記事表示部１２に表示されるコンテンツは、操作が行われたボタンに対応するコンテンツ、即ち、１のコンテンツに限られている。よって、コンテンツを複数確認したい場合には、ユーザは、まず、ボタン１３Ａ〜１３Ｆのいずれかの操作を行い、その操作に伴ってＲＳＳ記事表示部１２へ表示されているコンテンツを確認した後、続いて、ＲＳＳ記事表示部１２の表示を、コンテンツが表示された状態から、タイトルとボタン１３Ａ〜１３Ｆとが一覧表示される状態に一旦切り換え、改めて、ボタン１３Ａ〜１３Ｆのいずれかを操作して、別のコンテンツをＲＳＳ記事表示部１２へ表示させる、という非常に煩雑な操作を行わなければならないという問題点があった。
【０００６】
本発明は上述した問題点を解決するためになされたものであり、煩雑な表示切り換え操作を必要とせずに、コンテンツを複数確認させることができる通信装置、通信システムおよび制御プログラムを提供することを目的とする。
【課題を解決するための手段】
【０００７】
この目的を達成するために請求項１記載の通信装置は、コンテンツのタイトルとそのコンテンツの位置情報とを少なくとも含むと共に、前記コンテンツのタイトルとそのコンテンツの位置情報とを複数含むことが可能なコンテンツ関連情報の位置情報である関連位置情報が示す装置にアクセス可能なものであり、前記関連位置情報を複数記憶可能な位置情報記憶手段と、その位置情報記憶手段に記憶された関連位置情報が示す装置のそれぞれにアクセスして、前記装置の各々から前記コンテンツ関連情報をそれぞれ取得する関連情報取得手段と、その関連情報取得手段により取得されたコンテンツ関連情報を記憶する関連情報記憶手段と、その関連情報記憶手段に記憶されたコンテンツ関連情報に含まれるコンテンツのタイトルの１つを１行の表示形態で表示可能な表示領域が複数設けられた複数表示手段と、前記関連情報記憶手段に記憶されたコンテンツ関連情報を使用して、そのコンテンツ関連情報に含まれるコンテンツのタイトルをそれぞれ、前記複数表示手段の表示領域に対応させて固定表示する表示制御手段と、その表示制御手段により前記表示領域に固定表示されたコンテンツのタイトルの選択を複数受け付け可能な受付手段と、その受付手段により選択が受け付けられた前記コンテンツのタイトルに対応する前記コンテンツの位置情報の全てを前記関連情報記憶手段に記憶されたコンテンツ関連情報を使用して特定する特定手段と、その特定手段により特定された前記全てのコンテンツの位置情報を、そのコンテンツの位置情報が示す記憶装置にアクセスしてその記憶装置に記憶されたコンテンツを表示可能な通信表示手段へ出力する出力手段とを備えている。なお、通信表示手段は、通信装置と一体に設けられても、或いは、通信装置とは別体に設けられても良い。通信表示手段が、通信装置とは別体に設けられる場合には、通信表示手段は、通信装置と通信可能に構成される。
【０００８】
請求項２記載の通信装置は、請求項１記載の通信装置において、前記受付手段は、前記複数表示手段の表示領域に固定表示されたコンテンツのタイトルのそれぞれに対して、そのコンテンツのタイトルの選択を示す第１の操作が行われたか否かを判定する第１判定手段と、その第１判定手段により前記第１の操作が行われたと判定されたコンテンツのタイトルに対応する前記コンテンツの位置情報の全ての出力を受け付け可能な出力受付手段とを備え、前記特定手段は、前記第１の操作が行われたと判定されたコンテンツのタイトルに対応する前記コンテンツの位置情報の全ての出力が前記出力受付手段により受け付けられた場合に、そのコンテンツの位置情報の全てを、前記関連情報記憶手段に記憶されたコンテンツ関連情報を使用して特定する第１特定手段を備え、前記出力手段は、前記第１特定手段により特定された前記全てのコンテンツの位置情報を前記通信表示手段へ出力する第１出力手段を備えている。
【０００９】
請求項３記載の通信装置は、請求項２記載の通信装置において、前記コンテンツ関連情報は、前記コンテンツが要約された情報である要約情報を更に含むものであり、前記コンテンツ関連情報に含まれる前記コンテンツの要約情報の１つを複数行の表示形態で表示可能な要約表示領域が１つ設けられた単数表示手段を備え、前記受付手段は、前記複数表示手段の表示領域に固定表示されたコンテンツのタイトルの１つに対して、そのコンテンツのタイトルの選択を示す前記第１の操作とは操作が異なる第２の操作が行われたか否かを判定する第２判定手段と、その第２判定手段により前記１のコンテンツのタイトルに対して前記第２の操作が行われたと判定された場合に、その第２の操作が行われた前記１のコンテンツのタイトルに対応する１の前記コンテンツの要約情報を前記関連情報記憶手段に記憶されたコンテンツ関連情報を使用して特定し、その特定した前記１のコンテンツの要約情報を前記単数表示手段の要約表示領域に表示する要約表示手段と、その要約表示手段により前記要約表示領域に表示された前記１のコンテンツの要約情報に対して、その１のコンテンツの要約情報の選択を示す前記第２の操作が行われたか否かを判定する要約判定手段とを備え、前記特定手段は、前記要約判定手段により前記１のコンテンツの要約情報に対して前記第２の操作が行われた場合に、その第２の操作が行われた前記１のコンテンツの要約情報に対応する１の前記コンテンツの位置情報を前記関連情報記憶手段に記憶されたコンテンツ関連情報を使用して特定する第２特定手段を備え、前記出力手段は、前記第２特定手段により特定された前記１のコンテンツの位置情報を前記通信表示手段へ出力する第２出力手段を備えている。
【００１０】
請求項４記載の通信装置は、コンテンツのタイトルとそのコンテンツが要約された情報である要約情報とを少なくとも含むと共に、前記コンテンツのタイトルとそのコンテンツの要約情報とを複数含むことが可能なコンテンツ関連情報の位置情報である関連位置情報が示す装置にアクセス可能なものであり、前記関連位置情報を複数記憶可能な位置情報記憶手段と、その位置情報記憶手段に記憶された関連位置情報が示す装置のそれぞれにアクセスして、前記装置の各々から前記コンテンツ関連情報をそれぞれ取得する関連情報取得手段と、その関連情報取得手段により取得されたコンテンツ関連情報を記憶する関連情報記憶手段と、その関連情報記憶手段に記憶されたコンテンツ関連情報に含まれるコンテンツのタイトルの１つを１行の表示形態で表示可能な表示領域が複数設けられた複数表示手段と、前記関連情報記憶手段に記憶されたコンテンツ関連情報を使用して、そのコンテンツ関連情報に含まれるコンテンツのタイトルをそれぞれ、前記複数表示手段の表示領域に対応させて固定表示する表示制御手段と、その表示制御手段により前記表示領域に固定表示されたコンテンツのタイトルの選択を複数受け付け可能な受付手段と、その受付手段により選択が受け付けられた前記コンテンツのタイトルに対応する前記コンテンツの要約情報を前記関連情報記憶手段に記憶されたコンテンツ関連情報を使用して特定する特定手段と、その特定手段により特定された前記コンテンツの要約情報を、その特定された要約情報に対応する前記コンテンツのタイトルが固定表示された表示領域に、そのタイトルの固定表示に代えてスクロール表示させるスクロール表示手段とを備えている。
【００１１】
請求項５記載の通信装置は、請求項４記載の通信装置において、前記受付手段は、前記複数表示手段の表示領域に固定表示されたコンテンツのタイトルのそれぞれに対して、前記コンテンツのタイトルの選択を示す第１の操作が行われたか否かを判定する第１判定手段を備え、前記特定手段は、前記第１判定手段により前記第１の操作が行われたと判定されたコンテンツのタイトルに対応する前記コンテンツの要約情報の全てを、前記関連情報記憶手段に記憶されたコンテンツ関連情報を使用して特定する要約特定手段を備え、前記スクロール表示手段は、前記要約特定手段により特定された前記全てのコンテンツの要約情報を、その特定された要約情報の各々に対応する前記コンテンツのタイトルが固定表示された表示領域に、そのタイトルの固定表示に代えてスクロール表示させる第１スクロール表示手段を備えている。
【００１２】
請求項６記載の通信装置は、請求項５記載の通信装置において、前記コンテンツ関連情報は、前記コンテンツの位置情報を更に含むものであり、前記第１スクロール表示手段により前記表示領域にスクロール表示されているコンテンツの要約情報に対応する前記コンテンツの位置情報の全ての出力を受け付け可能な出力受付手段と、前記スクロール表示されているコンテンツの要約情報に対応する前記コンテンツの位置情報の全ての出力が前記出力受付手段により受け付けられた場合に、その全ての前記コンテンツの位置情報を前記関連情報記憶手段に記憶されたコンテンツ関連情報を使用して特定する位置情報特定手段と、その位置情報特定手段により特定された前記全てのコンテンツの位置情報を、そのコンテンツの位置情報が示す記憶装置にアクセスしてその記憶装置に記憶されたコンテンツを表示可能な通信表示手段へ出力する出力手段とを備えている。
【００１３】
請求項７記載の通信装置は、コンテンツのタイトルとそのコンテンツの位置情報とを少なくとも含むと共に、前記コンテンツのタイトルとそのコンテンツの位置情報とを複数含むことが可能なコンテンツ関連情報の位置情報である関連位置情報が示す装置にアクセス可能なものであり、前記関連位置情報を複数記憶可能な位置情報記憶手段と、その位置情報記憶手段に記憶された関連位置情報が示す装置のそれぞれにアクセスして、前記装置の各々から前記コンテンツ関連情報をそれぞれ取得する関連情報取得手段と、その関連情報取得手段により取得されたコンテンツ関連情報を記憶する関連情報記憶手段と、その関連情報記憶手段に記憶されたコンテンツ関連情報に含まれるコンテンツのタイトルの１つを１行の表示形態で表示可能な表示領域が複数設けられた複数表示手段と、前記関連情報記憶手段に記憶されたコンテンツ関連情報を使用して、そのコンテンツ関連情報に含まれるコンテンツのタイトルをそれぞれ、前記複数表示手段の表示領域に対応させて固定表示する表示制御手段と、その表示制御手段により前記表示領域に固定表示されたコンテンツのタイトルに対応する前記コンテンツの位置情報の全ての出力を受け付け可能な全受付手段と、前記表示領域に固定表示されたコンテンツのタイトルに対応する前記コンテンツの位置情報の全ての出力が前記全受付手段により受け付けられた場合に、その全ての前記コンテンツの位置情報を前記関連情報記憶手段に記憶されたコンテンツ関連情報を使用して特定する全位置情報特定手段と、その全位置情報特定手段により特定された前記全てのコンテンツの位置情報を、そのコンテンツの位置情報が示す記憶装置にアクセスしてその記憶装置に記憶されたコンテンツを表示可能な通信表示手段へ出力する出力手段とを備えている。
【００１４】
請求項８記載の通信装置は、請求項７記載の通信装置において、前記関連情報記憶手段に記憶されたコンテンツ関連情報に含まれるコンテンツのタイトルを前記複数表示手段の表示領域のうちの１の表示領域を使用して順次スクロール表示させるタイトル表示手段と、そのタイトル表示手段によって前記コンテンツのタイトルが前記１の表示領域に順次スクロールされている場合に、その表示されている前記コンテンツのタイトルの選択を受け付け可能なタイトル受付手段と、そのタイトル受付手段により前記コンテンツのタイトルの選択が受け付けられた場合に、そのコンテンツのタイトルを含むコンテンツ関連情報を特定する関連情報特定手段とを備え、前記表示制御手段は、前記関連情報特定手段により特定されたコンテンツ関連情報に含まれる全てのコンテンツのタイトルをそれぞれ、前記複数表示手段の表示領域に対応させて固定表示する全表示制御手段を備え、前記全受付手段は、前記全表示制御手段により前記表示領域に固定表示されたコンテンツのタイトルに対応する前記コンテンツの位置情報の全ての出力を受け付け可能な第２全受付手段を備え、前記全位置情報特定手段は、前記表示領域に固定表示されたコンテンツのタイトルに対応する前記コンテンツの位置情報の全ての出力が前記第２全受付手段により受け付けられた場合に、その全ての前記コンテンツの位置情報を前記関連情報記憶手段に記憶されたコンテンツ関連情報を使用して特定する第２全位置情報特定手段を備え、前記出力手段は、前記第２全位置情報特定手段により特定された前記全てのコンテンツの位置情報を前記通信表示手段へ出力する全出力手段を備えている。
【００１５】
請求項９記載の通信装置は、請求項１から３、または６から８のいずれかに記載の通信装置において、前記通信装置は、前記コンテンツのタイトルを少なくとも表示可能な表示画面を備え、前記通信表示手段は、前記通信装置と別体に設けられると共にその通信装置と通信可能に構成され、その通信装置の表示画面よりも広い表示画面を有する外部装置である。
【００１６】
請求項１０記載の通信システムは、請求項１から３、または６から９のいずれかに記載の通信装置と、その通信装置から出力されたコンテンツの位置情報により示される記憶装置にアクセスしてその記憶装置に記憶されたコンテンツを表示可能な外部装置とを備えている。
【００１７】
請求項１１記載の制御プログラムは、コンテンツのタイトルとそのコンテンツの位置情報とを少なくとも含むと共に、前記コンテンツのタイトルとそのコンテンツの位置情報とを複数含むことが可能なコンテンツ関連情報の位置情報である関連位置情報が示す装置にアクセス可能な通信装置により実行されるものであり、前記関連位置情報を複数記憶可能な位置情報記憶手段に記憶された関連位置情報が示す装置のそれぞれにアクセスして、前記装置の各々から前記コンテンツ関連情報をそれぞれ取得する関連情報取得ステップと、その関連情報取得ステップにより取得されたコンテンツ関連情報を関連情報記憶手段に記憶する記憶ステップと、その記憶ステップにより前記関連情報記憶手段に記憶されたコンテンツ関連情報を使用して、そのコンテンツ関連情報に含まれるコンテンツのタイトルをそれぞれ、そのコンテンツのタイトルの１つを１行の表示形態で表示可能な表示領域が複数設けられた複数表示手段に、その表示領域に対応させて固定表示する表示制御ステップと、その表示制御ステップにより前記複数表示手段の表示領域に固定表示されたコンテンツのタイトルの選択を複数受け付け可能な受付ステップと、その受付ステップにより選択が受け付けられた前記コンテンツのタイトルに対応する前記コンテンツの位置情報の全てを前記関連情報記憶手段に記憶されたコンテンツ関連情報を使用して特定する特定ステップと、その特定ステップにより特定された前記全てのコンテンツの位置情報を、そのコンテンツの位置情報が示す記憶装置にアクセスしてその記憶装置に記憶されたコンテンツを表示可能な通信表示手段へ出力する出力手段に出力させる出力ステップとを、前記通信装置に実行させるものである。
【００１８】
請求項１２記載の制御プログラムは、コンテンツのタイトルとそのコンテンツが要約された情報である要約情報とを少なくとも含むと共に、前記コンテンツのタイトルとそのコンテンツの要約情報とを複数含むことが可能なコンテンツ関連情報の位置情報である関連位置情報が示す装置にアクセス可能な通信装置により実行されるものであり、前記関連位置情報を複数記憶可能な位置情報記憶手段に記憶された関連位置情報が示す装置のそれぞれにアクセスして、前記装置の各々から前記コンテンツ関連情報をそれぞれ取得する関連情報取得ステップと、その関連情報取得ステップにより取得されたコンテンツ関連情報を関連情報記憶手段に記憶する記憶ステップと、その記憶ステップにより前記関連情報記憶手段に記憶されたコンテンツ関連情報を使用して、そのコンテンツ関連情報に含まれるコンテンツのタイトルをそれぞれ、そのコンテンツのタイトルの１つを１行の表示形態で表示可能な表示領域が複数設けられた複数表示手段に、その表示領域に対応させて固定表示する表示制御ステップと、その表示制御ステップにより前記複数表示手段の表示領域に固定表示されたコンテンツのタイトルの選択を複数受け付け可能な受付ステップと、その受付ステップにより選択が受け付けられた前記コンテンツのタイトルに対応する前記コンテンツの要約情報を前記関連情報記憶手段に記憶されたコンテンツ関連情報を使用して特定する特定ステップと、その特定ステップにより特定された前記コンテンツの要約情報を、その特定された要約情報に対応する前記コンテンツのタイトルが固定表示された表示領域に、そのタイトルの固定表示に代えてスクロール表示させるスクロール表示ステップとを、前記通信装置に実行させるものである。
【００１９】
請求項１３記載の制御プログラムは、コンテンツのタイトルとそのコンテンツの位置情報とを少なくとも含むと共に、前記コンテンツのタイトルとそのコンテンツの位置情報とを複数含むことが可能なコンテンツ関連情報の位置情報である関連位置情報が示す装置にアクセス可能な通信装置により実行されるものであり、前記関連位置情報を複数記憶可能な位置情報記憶手段に記憶された関連位置情報が示す装置のそれぞれにアクセスして、前記装置の各々から前記コンテンツ関連情報をそれぞれ取得する関連情報取得ステップと、その関連情報取得ステップにより取得されたコンテンツ関連情報を関連情報記憶手段に記憶する記憶ステップと、その記憶ステップにより前記関連情報記憶手段に記憶されたコンテンツ関連情報を使用して、そのコンテンツ関連情報に含まれるコンテンツのタイトルをそれぞれ、そのコンテンツのタイトルの１つを１行の表示形態で表示可能な表示領域が複数設けられた複数表示手段に、その表示領域に対応させて固定表示する表示制御ステップと、その表示制御ステップにより前記複数表示手段の表示領域に固定表示されたコンテンツのタイトルに対応する前記コンテンツの位置情報の全ての出力を受け付け可能な全受付ステップと、前記表示領域に固定表示されたコンテンツのタイトルに対応する前記コンテンツの位置情報の全ての出力が前記全受付ステップにより受け付けられた場合に、その全ての前記コンテンツの位置情報を前記関連情報記憶手段に記憶されたコンテンツ関連情報を使用して特定する全位置情報特定ステップと、その全位置情報特定ステップにより特定された前記全てのコンテンツの位置情報を、そのコンテンツの位置情報が示す記憶装置にアクセスしてその記憶装置に記憶されたコンテンツを表示可能な通信表示手段へ出力できる出力手段に出力する出力ステップとを、前記通信装置に実行させるものである。
【発明の効果】
【００２０】
請求項１記載の通信装置によれば、受付手段により、表示領域に固定表示されたコンテンツのタイトルの選択が受け付けられると、特定手段は、その選択されたコンテンツのタイトルに対応するコンテンツの位置情報の全てを、関連情報記憶手段に記憶されたコンテンツ関連情報を使用して特定する。そして、出力手段は、特定手段により特定された全てのコンテンツの位置情報を通信表示手段へ出力する。すると、通信表示手段は、そのコンテンツの位置情報が示す記憶装置にアクセスしてその記憶装置に記憶されたコンテンツを全て一編に表示する。よって、煩雑な表示切り換え操作を必要とせずに、コンテンツを複数確認させることができるという効果がある。
【００２１】
請求項２記載の通信装置によれば、請求項１記載の通信装置の奏する効果に加え、第１の操作が行われたと第１判定手段によって判定されたコンテンツのタイトルに対応するコンテンツの位置情報の全ての出力が出力受付手段により受け付けられると、第１特定手段は、第１の操作が行われたコンテンツのタイトルに対応するコンテンツの位置情報の全てを、関連情報記憶手段に記憶されたコンテンツ関連情報を使用して特定する。その特定された特定された全てのコンテンツの位置情報を、第１出力手段は、通信表示手段へ出力する。よって、第１の操作が行われたコンテンツのタイトルに対応するコンテンツの位置情報の全てを、誤りなく確実に出力することができるという効果がある。
【００２２】
請求項３記載の通信装置によれば、請求項２記載の通信装置の奏する効果に加え、要約表示手段は、表示領域に固定表示されたコンテンツのタイトルの１つに対して第２の操作が行われると、その第２の操作が行われた１のコンテンツのタイトルに対応する１のコンテンツの要約情報を特定し、その特定した１のコンテンツの要約情報を要約表示領域に表示する。その後、要約表示領域に表示された１のコンテンツの要約情報に対して、第２の操作が行われると、第２特定手段は、表示された１のコンテンツの要約情報に対応する１のコンテンツの位置情報を、関連情報記憶手段に記憶されたコンテンツ関連情報を使用して特定する。そして、第２出力手段は、第２特定手段により特定された１のコンテンツの位置情報を通信表示手段へ出力する。よって、表示領域に固定表示されたコンテンツのタイトルの１つに対して第２の操作が行われた場合には、まず、コンテンツのタイトルに対応するコンテンツの要約情報を表示して、その後に、第２の操作が行われると、そのコンテンツの要約情報に対応するコンテンツの位置情報を出力するという、ユーザが操作を行う場合に通常行い得る一般的な操作形態を実現することができるという効果がある。
【００２３】
請求項４記載の通信装置によれば、受付手段により、表示領域に固定表示されたコンテンツのタイトルの選択が受け付けられると、特定手段は、その選択されたコンテンツのタイトルに対応するコンテンツの要約情報を、関連情報記憶手段に記憶されたコンテンツ関連情報を使用して特定する。そして、スクロール表示手段は、特定手段により特定されたコンテンツの要約情報を、その特定された要約情報に対応するコンテンツのタイトルが固定表示された表示領域に、そのタイトルの固定表示に代えてスクロール表示する。よって、煩雑な表示切り換え操作を必要とせずに、コンテンツの要約情報を複数確認させることができるという効果がある。
【００２４】
請求項５記載の通信装置によれば、請求項４記載の通信装置の奏する効果に加え、要約特定手段は、第１の操作が行われたと第１判定手段によって判定されたコンテンツのタイトルに対応するコンテンツの要約の全てを、関連情報記憶手段に記憶されたコンテンツ関連情報を使用して特定する。そして、第１スクロール手段は、要約特定手段により特定された全てのコンテンツの要約情報を、その特定された要約情報の各々に対応するタイトルが固定表示された表示領域に、そのタイトルの固定表示に代えてスクロール表示する。よって、第１の操作が行われたコンテンツのタイトルに対応するコンテンツの要約情報の全てを、誤りなく確実にスクロール表示することができるという効果がある。
【００２５】
請求項６記載の通信装置によれば、請求項５記載の通信装置の奏する効果に加え、位置情報特定手段は、表示領域にスクロール表示されているコンテンツの要約情報に対応するコンテンツの位置情報の全ての出力が出力受付手段により受け付けられると、そのコンテンツの位置情報の全てを、関連情報記憶手段に記憶されたコンテンツ関連情報を使用して特定する。そして、出力手段は、位置情報特定手段により特定された全てのコンテンツの位置情報を通信表示手段へ出力する。すると、通信表示手段は、そのコンテンツの位置情報が示す記憶装置にアクセスしてその記憶装置に記憶されたコンテンツを全て、即ち、スクロール表示されているコンテンツの要約情報に対応するコンテンツを全て、一編に表示する。よって、煩雑な表示切り換え操作を必要とせずに、コンテンツを複数確認させることができるという効果がある。
【００２６】
請求項７記載の通信装置によれば、全受付手段により、表示領域に固定表示されたコンテンツのタイトルに対応するコンテンツの位置情報の全ての出力が受け付けられると、全位置情報特定手段は、そのコンテンツの位置情報の全てを、関連情報記憶手段に記憶されたコンテンツ関連情報を使用して特定する。そして、出力手段は、全位置情報特定手段により特定された全てのコンテンツの位置情報を通信表示手段へ出力する。すると、通信表示手段は、そのコンテンツの位置情報が示す記憶装置にアクセスしてその記憶装置に記憶されたコンテンツを全て、即ち、表示領域に固定表示されたコンテンツのタイトルに対応するコンテンツを全て、一編に表示する。よって、煩雑な表示切り換え操作を必要とせずに、コンテンツを複数確認させることができるという効果がある。
【００２７】
請求項８記載の通信装置によれば、請求項７記載の通信装置の奏する効果に加え、次の効果を奏する。即ち、タイトル表示手段によってコンテンツのタイトルが１の表示領域に順次スクロールされている場合に、そのスクロール表示されているコンテンツのタイトルの選択がタイトル受付手段に受け付けられると、関連情報特定手段は、その選択されたコンテンツのタイトルを含むコンテンツ関連情報を特定する。そして、全表示制御手段は、関連情報特定手段により特定されたコンテンツ関連情報に含まれる全てのコンテンツのタイトルをそれぞれ、表示領域に対応させて固定表示する。その後、第２全受付手段により、表示領域に固定表示されたコンテンツのタイトルに対応するコンテンツの位置情報の全ての出力が受け付けられると、第２全位置情報特定手段は、固定表示されたコンテンツのタイトルに対応するコンテンツの位置情報の全てを、関連情報記憶手段に記憶されたコンテンツ関連情報を使用して特定する。そして、全出力手段は、第２全位置情報特定手段により特定された全てのコンテンツの位置情報を通信表示手段へ出力する。よって、請求項８記載の通信装置によれば、まず、コンテンツのタイトルを１の表示領域にスクロール表示し、次に、そのスクロール表示されているコンテンツのタイトルが選択されると、全てのコンテンツのタイトルを固定表示し、最後に、固定表示された全てのコンテンツのタイトルに対応するコンテンツの位置情報の出力が受け付けられると、全てのコンテンツの位置情報を出力するという、ユーザが操作を行う場合に通常行い得る一般的な操作形態を実現することができるという効果がある。
【００２８】
請求項９記載の通信装置によれば、請求項１から３、または６から８のいずれかに記載の通信装置の奏する効果に加え、通信装置から出力されるコンテンツの位置情報に対応する全てのコンテンツを、通信装置の表示画面よりも広い表示画面を有する外部装置に一編に表示させることができる。よって、ユーザはコンテンツを快適に確認することができるという効果がある。
【００２９】
請求項１０記載の通信システムによれば、請求項９に記載の通信装置と同様な効果を奏することができる。
【００３０】
請求項１１記載の制御プログラムによれば、請求項１に記載の通信装置と同様な効果を奏することができる。
【００３１】
請求項１２記載の制御プログラムによれば、請求項４に記載の通信装置と同様な効果を奏することができる。
【００３２】
請求項１３記載の制御プログラムによれば、請求項７に記載の通信装置と同様な効果を奏することができる。
【発明を実施するための最良の形態】
【００３３】
以下、本発明の好ましい実施形態について、添付図面を参照して説明する。図１は、本発明の一実施形態におけるＭＦＰシステム２の概略を示した図である。ＭＦＰシステム２は、ＭＦＰ（Ｍｕｌｔｉｆｕｎｃｔｉｏｎ  Ｐｅｒｉｐｈｅｒａｌ）１０と複数のパーソナルコンピュータ（以下、「ＰＣ」と称す）７０，７１と複数のコンテンツ提供サーバ９０，９１とを備える。なお、図１では、１つのＭＦＰ１０と２つのＰＣ７０，７１と２つのコンテンツ提供サーバ９０，９１としか示されていないが、これらの数は適宜変更することができる。
【００３４】
図１に示すＭＦＰ１０は、印刷機能、スキャナ機能、電話機能等を実現する通信装置であり、ＬＡＮ回線４に接続されている。各ＰＣ７０，７１は、ＭＦＰ１０の印刷機能やスキャナ機能を制御する制御装置であり、ＬＡＮ回線４に接続されている。ＬＡＮ回線４は、ルータ６を介してインターネット８に接続されている。各コンテンツ提供サーバ９０，９１は、インターネット８に接続されている。本実施形態では、コンテンツ提供サーバ９０が１つのサイトを公開しており、コンテンツ提供サーバ９１が他の１つのサイトを公開している。各サイトは、複数のコンテンツを含んでいる。さらに、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００３５】
次に、ＰＣ７０の内部構成について説明する。なお、ＰＣ７１は、ＰＣ７０と同様の内部構成であるので、その説明を省略する。ＰＣ７０は、ＣＰＵ７２とハードディスク７４と表示部８２と操作部８４を主に有する。なお、図１には示されていないが、ＰＣ７０は、ＬＡＮ回線４に接続されているネットワークインターフェイスも有している。
【００３６】
ＣＰＵ７２は、演算装置であり、基本プログラム７６および常駐ソフト７８に従って処理を実行する。ハードディスク７４は、基本プログラム７６および常駐ソフト７８を記憶している。基本プログラム７６は、ＰＣ７０の基本的な動作を制御するためのプログラムである。基本プログラム７６は、例えば、インターネット８のサイトからコンテンツをダウンロードして表示するためのブラウザを含んでいる。
【００３７】
常駐ソフト７８は、ＭＦＰ１０からの指示に従って動作するためのプログラムである。常駐ソフト７８は、例えば、コンピュータ読取可能媒体からＰＣ７０にインストールされる。また、常駐ソフト７８は、例えば、インターネット８のサイトからダウンロードされてＰＣ７０にインストールされてもよい。
【００３８】
ハードディスク７４は、設定ファイル８０を記憶している。設定ファイル８０は、ＭＦＰ１０のＩＰアドレスを含んでいる。設定ファイル８０の記憶内容は、例えば、ユーザによって設定される。設定ファイル８０に記憶されたＩＰアドレスにより、ＰＣ７０は、ＭＦＰ１０を識別することができる。なお、設定ファイル８０に記憶される情報は、ＭＦＰ１０を識別することができる情報であればよく、ノード名等でも可能であり、ＩＰアドレスに限定されない。
【００３９】
表示部８２は、様々な情報を表示することができる。表示部８２は、ＭＦＰ１０が有する表示パネル５０（図２参照）より大きい表示画面を有する。操作部８４は、キーボードやマウスによって構成される。ユーザは、操作部８４を操作することによって、様々な指示や情報をＰＣ７０に入力することができる。
【００４０】
次に、図２を参照してＭＦＰ１０について説明する。図２は、ＭＦＰ１０の電気的構成を示すブロック図である。ＭＦＰ１０は、制御部１２と表示パネル５０とキーパッド５２と印刷部５４とスキャン部５６とＦＡＸ部５８とネットワークインターフェイス（以後、「ネットワークＩ／Ｆ」と称す）６０とＰＳＴＮインターフェイス（以後、「ＰＳＴＮ  Ｉ／Ｆ」と称す）６２とスピーカ６４とを主に有する。なお、制御部１２と各部５０〜６４とは、バスライン６６を介して互いに接続されている。制御部１２は、ＣＰＵ１４とＲＯＭ１６とＲＡＭ１８とＮＶＲＡＭ２０を主に有する。
【００４１】
ＣＰＵ１４は、演算装置であり、ＲＯＭ１６に記憶されている各プログラム１６ａ〜１６ｃに従って処理を実行する。ＣＰＵ１４が実行する処理については、図５〜図８を用いて後に詳しく説明する。ＲＯＭ１６は、各プログラム１６ａ〜１６ｃを記憶する書き込み不能な不揮発性のメモリである。
【００４２】
基本機能プログラム１６ａは、ＭＦＰ１０の基本的な動作を制御するためのプログラムである。基本機能プログラム１６ａは、例えば、表示パネル５０に表示される表示データを生成するためのプログラムを含んでいる。また、基本機能プログラム１６ａは、例えば、印刷部５４、スキャン部５６、ＦＡＸ部５８等の各部５０〜６４を制御するためのプログラムを含んでいる。インターネット接続プログラム１６ｂは、インターネット８に接続するためのプログラムである。フィード情報利用プログラム１６ｃは、ユーザによるキーパッド５２の操作により起動されると、コンテンツ提供サーバ９０，９１から取得されるフィード情報を解析し、表示パネル５０で表示を行うための情報（以下、「表示情報」と称す）を作成し、その表示情報を表示する処理を実行するプログラムである。
【００４３】
ＲＡＭ１８は、各記憶領域１８ａ〜１８ｃおよび選択フラグ１８ｄを有する読み書き可能な揮発性のメモリである。基本機能ワーク領域１８ａは、基本機能プログラム１６ａに従って処理が実行される過程で生成される各種データを記憶するための記憶領域である。フィード情報解析ワーク領域１８ｂは、フィード情報利用プログラム１６ｃに従って処理が実行される過程で作成される各種データを記憶するための記憶領域である。表示情報記憶領域１８ｃは、フィード情報利用プログラム１６ｃに従い、取得されたフィード情報を利用して作成される表示情報を記憶するための記憶領域である。
【００４４】
選択フラグ１８ｄについて説明する。本実施形態のＭＦＰ１０では、フィード情報の取得先であるＵＲＬは、０からｎ−１までの計ｎ個（ｎは１以上の数）、後述するＵＲＬ記憶領域２０ｂに記憶されている（図３参照）。そして、本実施形態のＭＦＰ１０では、設定されたフィード情報の取得先である各ＵＲＬ毎に（０からｎ−１までの各ＵＲＬ毎に）、０からｍ−１までの計ｍ個（ｍは１以上の数）の更新コンテンツ１３２が表示情報記憶領域１８ｃに記憶されている（図４参照）。よって、選択フラグ１８ｄは、選択０フラグ１８ｄ０〜選択（ｎ−１）（ｍ−１）フラグ１８ｄ（ｎ−１）（ｍ−１）までの計ｎ×ｍ個、設けられている。なお、この選択フラグ１８ｄは、更新コンテンツ情報１３２と対応付けられているので、表示情報記憶領域１８ｃに記憶される更新コンテンツ情報１３２の数に応じて、使用又は不使用が決定される。
【００４５】
ＮＶＲＡＭ２０は、各記憶領域２０ａ，２０ｂを有する書き換え可能な不揮発性のメモリである。基本機能パラメータ記憶領域２０ａは、ＣＰＵ１４が、基本機能プログラム１６ａに従って処理を実行する際に利用される各種パラメータ（例えば印刷機能における設定、スキャン機能における設定等）を記憶するための記憶領域である。ＵＲＬ記憶領域２０ｂは、各コンテンツ提供サーバ９０，９１が有するフィード情報の取得先を示すＵＲＬを記憶するための記憶領域である。
【００４６】
例えば、ユーザは、各コンテンツ提供サーバ９０，９１からのコンテンツ提供サービスを受けるためのＵＲＬ設定を行う必要がある。このＵＲＬ設定は、表示パネル５０に表示されるサイト設定画面（図示せず）で行うことができる。サイト設定画面で、コンテンツ提供サーバ９０，９１のフィード情報の取得先を示すＵＲＬが、キーパッド５２を使用してユーザにより設定されると、その設定されたＵＲＬがＵＲＬ記憶領域２０ｂに記憶される。
【００４７】
なお、ＵＲＬ設定は、サイト設定画面以外にも、ＰＣ７０，７１を利用して設定してもよい。例えば、ユーザがＰＣ７０を利用してコンテンツ提供サーバ９０からのコンテンツ提供サービスを受けるためのＵＲＬ設定を行なった場合、コンテンツ提供サーバ９０のフィード情報の取得先を示すＵＲＬがＰＣ７０からＭＦＰ１０へ出力される。これにより、コンテンツ提供サーバ９０のフィード情報の取得先を示すＵＲＬがＵＲＬ記憶領域２０ｂに記憶されるように構成しても良い。
【００４８】
表示パネル５０は、様々な情報を表示する表示装置である。表示パネル５０の表示画面は、ＰＣ７０，７１が有する表示画面より小さい。なお、表示パネル５０は、タッチパネルとして機能する。キーパッド５２は、複数のキーによって構成される。ユーザは、キーパッド５２を操作することによって様々な指示や情報をＭＦＰ１０に入力することができる。印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。よって、ＭＦＰ１０は、ＰＣ７０，７１と通信可能であると共に、インターネット８にアクセス可能である。ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行う際に利用される。スピーカ６４は、電話機能による新着が行われた場合に、鳴動音を出力する放音装置である。
【００４９】
次に、図３を参照して、ＵＲＬ記憶領域２０ｂ（図２参照）の記憶内容について説明する。図３は、ＵＲＬ記憶領域２０ｂの記憶内容の一例を示した図である。ＵＲＬ記憶領域２０ｂは、各コンテンツ提供サーバ９０，９１のフィード情報の取得先を示すＵＲＬ１０２を記憶できる。図３の例では、ＵＲＬ記憶領域２０ｂには、ｎ個のＵＲＬ１０２が記憶されている。各ＵＲＬ１０２には、識別番号１００が付与されている。本実施形態では、識別番号１００を符号「ｉ」で表現する。
【００５０】
次に、図４を参照して、表示情報記憶領域１８ｃの記憶内容について説明する。図４は、表示情報記憶領域１８ｃの記憶内容の一例を示した図である。表示情報記憶領域１８ｃは、ＵＲＬ記憶領域２０ｂに記憶されているＵＲＬ毎に表示情報１１２を記憶することが可能である。上述したように、ＵＲＬ記憶領域２０ｂにはｎ個（ｎは１以上の整数）のＵＲＬ１０２が記憶されている（図３参照）。このために、表示情報記憶領域１８ｃにもｎ個の表示情報１１２が記憶されている。各表示情報１１２には、識別番号１１０が付与されている。本実施形態では、識別番号１１０を符号「ｉ」で表現する。なお、識別情報１１０と上述した識別情報１００は、同一情報である。
【００５１】
次に、個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。フィード更新日時情報１２４は、コンテンツ提供サーバ９０，９１においてフィード情報が更新された日時（最新の更新日時）に関する情報である。
【００５２】
表示情報１１２は、更新コンテンツ情報１３２を含んでいる。更新コンテンツ情報１３２の数は、サイトが有するコンテンツの数に等しい。例えば、図４では、「ｉ＝０」に対応する表示情報１１２は、ｍ個（ｍは１以上の整数）の更新コンテンツ情報１３２を有する。これは、「ｉ＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施形態では、識別番号１３０を符号「ｊ」で表現する。
【００５３】
各更新コンテンツ情報１３２は、コンテンツタイトル文字列１４０とコンテンツ更新日時情報１４２とコンテンツ要約文字列１４４とコンテンツＵＲＬ１４６とを含んでいる。上述の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。コンテンツタイトル文字列１４０は、コンテンツのタイトルの文字列である。コンテンツ更新日時情報１４２は、コンテンツ提供サーバにおいてコンテンツが更新された日時（最新の更新日時）に関する情報である。
【００５４】
コンテンツ要約文字列１４４は、コンテンツが有する文字列が要約化されたものである。換言すると、コンテンツ要約文字列１４４は、コンテンツのタイトルより多い文字列である一方、コンテンツの全体の文字列より少ない文字列であり、コンテンツの内容が反映された文字列である。コンテンツＵＲＬ１４６は、コンテンツのＵＲＬである。なお、本実施形態においては、ＭＦＰ１０は、表示パネル５０に、上述したコンテンツタイトル文字列１４０を少なくとも１行の表示形態でスクロール表示する。ただし、ＭＦＰ１０は、表示パネル５０に、更に、およびコンテンツ更新日時情報１４２やコンテンツＵＲＬ１４６をスクロール表示することも可能である。
【００５５】
次に、図５〜図８を参照して、ＭＦＰ１０のＣＰＵ１４によって実行される処理について説明する。まずは、図５を参照して、ＭＦＰ１０のＣＰＵ１４によって実行されるメイン処理について説明する。図５は、ＭＦＰ１０により実行されるメイン処理を示したフローチャートである。メイン処理は、ＭＦＰ１０のＲＯＭ１６に記憶されたフィード情報利用プログラム１６ｃが起動された場合に実行が開始される。そして、このメイン処理は、フィード情報利用プログラム１６ｃが起動されている期間中、繰り返し実行される。
【００５６】
メイン処理では、まず、ＣＰＵ１４は、表示パネル５０に１行の表示形態でスクロール表示させるコンテンツタイトル文字列１４０を含む表示情報１１２を決定する（Ｓ１）。具体的には、ＣＰＵ１４は、Ｓ１の処理で、表示情報記憶領域１８ｆに記憶されている識別番号１１０である符号「ｉ」（図４参照）の値を決定して、表示情報１１２を決定している。なお、本実施形態においては、ＣＰＵ１４は、Ｓ１の処理で、表示情報記憶領域１８ｆに記憶された識別番号１１０（符号）が最小値「０」である表示情報１１２を、最初の表示情報に決定する。
【００５７】
そして、ＣＰＵ１４は、決定した表示情報１１２に含まれる全てのコンテンツタイトル文字列１４０を、表示パネル５０の表示領域の１つに順次切り換えてスクロール表示する（Ｓ２）。具体的には、ＣＰＵ１４は、Ｓ２の処理で、表示情報記憶領域１８ｆに記憶されている識別番号１３０である符号「ｊ」（図４参照）の値を決定して、スクロール表示するコンテンツタイトル文字列１４０を決定している。なお、本実施形態においては、ＣＰＵ１４は、Ｓ２の処理で、表示情報記憶領域１８ｆに記憶された識別番号１３０（符号）が最小値「０」であるコンテンツタイトル文字列１４０を、最初のコンテンツタイトル文字列に決定する。これにより、符号が「０」であるコンテンツタイトル文字列１４０が表示パネル５０の表示領域の１つにスクロール表示される。そして、符号が「０」であるコンテンツタイトル文字列１４０のスクロール表示が終了すると、ＣＰＵ１４は、現在の符号に１加算して、符号を「１」に決定する。これにより、符号が「１」であるコンテンツタイトル文字列１４０が次に表示パネル５０の表示領域の１つにスクロール表示される。なお、表示領域の１つについては、図９（ａ）を参照して後述する。
【００５８】
ここで、図９を参照して、表示パネル５０に表示されるコンテンツタイトル文字列１４０等の表示形態について説明する。図９（ａ）は、Ｓ１の処理で決定した表示情報１１２に含まれる全てのコンテンツタイトル文字列１４０が表示領域５１ａにスクロール表示されている場合を図示したものであり、図９（ｂ）は、Ｓ１の処理で決定した表示情報１１２に含まれる全てのコンテンツタイトル文字列１４０が表示領域５１ａ〜５１ｃに固定表示されている場合を図示したものである。
【００５９】
また、図９（ｃ）は、表示領域５１ａに固定表示されたコンテンツタイトル文字列１４０に対してユーザのタッチが長時間（例えば、１秒間以上）行われ、固定表示のコンテンツタイトル文字列１４０に代えて、そのコンテンツタイトル文字列１４０に対応するコンテンツ要約文字列１４４が表示領域５１ａにスクロール表示される場合を図示したものである。また、図９（ｄ）は、図９（ｃ）の状態において、更に、表示領域５１ｃに固定表示されたコンテンツタイトル文字列１４０に対してユーザのタッチが長時間（例えば、１秒間以上）行われ、固定表示のコンテンツタイトル文字列１４０に代えて、そのコンテンツタイトル文字列１４０に対応するコンテンツ要約文字列１４４が表示領域５１ｃにスクロール表示される場合を図示したものである。
【００６０】
最後に、図９（ｅ）は、表示領域５１ａ，５１ｃにスクロール表示されているコンテンツ要約文字列１４４に対応するコンテンツＵＲＬ１４６の全てをＰＣ７０へ出力して、出力された全てのコンテンツＵＲＬ１４６の示すコンテンツをＰＣ７０の表示部８２に一編に表示した場合を図示したものである。
【００６１】
図５に示すメイン処理でＳ２の処理が実行されると、図９（ａ）に示すように、Ｓ１の処理で決定した表示情報１１２に含まれる全てのコンテンツタイトル文字列１４０が１の領域である表示領域５１ａにスクロール表示される。このスクロール表示により、ユーザは、Ｓ１の処理で決定した表示情報１１２に含まれる全てのコンテンツタイトル文字列１４０を確認することができる。
【００６２】
図５の説明に戻る。Ｓ２の処理後、ＣＰＵ１４は、表示領域５１ａにスクロール表示されているコンテンツタイトル文字列１４０へのタッチ操作が行われたか否かを判定する（Ｓ３）。このタッチ操作が行われたか否かは、例えば、ユーザの指が表示領域５１ａに触れたか否かで判定される。
【００６３】
そして、ＣＰＵ１４は、表示領域５１ａにスクロール表示されているコンテンツタイトル文字列１４０へのタッチ操作が行われていないと判定すると（Ｓ３：Ｎｏ）、現在決定されている表示情報１１２に含まれるコンテンツタイトル文字列１４０が、表示領域５１ａで全てスクロール表示されたか否かを判定する（Ｓ４）。具体的には、ＣＰＵ１４は、Ｓ４の処理で、表示情報記憶領域１８ｆに記憶されている識別番号１３０である符号「ｊ」（図４参照）の値が最大値となり、その最大値の符号「ｊ」に対応するコンテンツタイトル文字列１４０のスクロール表示が終了したか否かで判定を行っている。例えば、図４に示すように、決定された表示情報に含まれるコンテンツタイトル文字列１４０が符号「０」〜「ｍ−１」まで存在する場合には、ＣＰＵ１４は、現在の符号が最大値である「ｍ−１」となり、その符号「ｍ−１」のコンテンツタイトル文字列１４０のスクロール表示が終了したときに、現在決定されている表示情報１１２に含まれるコンテンツタイトル文字列１４０が、表示領域５１ａで全てスクロール表示されたと判定する。一方、ＣＰＵ１４は、現在の符号が「ｍ−１」未満であれば、コンテンツタイトル文字列１４０の全てのスクロール表示が完了していないと判定する。
【００６４】
Ｓ４の処理で、ＣＰＵ１４は、現在決定されている表示情報に含まれるコンテンツタイトル文字列１４０が、表示領域５１ａで全てスクロール表示されたと判定すると（Ｓ４：Ｙｅｓ）、表示情報１１２を変更するために、Ｓ１の処理へ戻る。一方、ＣＰＵ１４は、コンテンツタイトル文字列１４０の全てのスクロール表示が完了していないと判定すると、Ｓ２の処理へ戻る。
【００６５】
Ｓ３の処理で、ＣＰＵ１４は、表示領域５１ａにスクロール表示されているコンテンツタイトル文字列１４０へのタッチ操作が行われたと判定すると（Ｓ３：Ｙｅｓ）、現在決定されている表示情報１１２を識別情報１１０から特定し、その特定した表示情報１１２に含まれる全てのコンテンツタイトル文字列１４０を、表示パネル５０の各表示領域に固定表示する（Ｓ５）。なお、なお、各表示領域の１つについては、図９（ｂ）を参照して後述する。
【００６６】
ここで、図９（ｂ）を参照して、ＣＰＵ１４によりＳ５の処理が実行された場合について説明する。なお、図９（ｂ）においては、Ｓ１の処理で現在決定されている表示情報１１２に含まれるコンテンツタイトル文字列１４０は３つであるとして、即ち、識別情報１３０である符号「ｊ」は、「０」〜「２」までの計３つであるとして説明を行う。
【００６７】
図５に示すメイン処理でＳ５の処理が実行されると、図９（ｂ）に示すように、現在決定されている表示情報１１２に含まれる全てのコンテンツタイトル文字列１４０が各表示領域５１ａ〜５１ｃに固定表示される。この全てのコンテンツタイトル文字列１４０の固定表示により、ユーザは、コンテンツのタイトルを短時間で確認することができる。なお、図９（ｂ）に示すように、コンテンツタイトル文字列１４０が各表示領域５１ａ〜５１ｃに固定表示されると、決定ボタン５１ｄが表示パネル５０に表示される。この決定ボタン５１ｄは、後述するＳ１２の処理（全選択モード処理）へ移行するためのボタンである。
【００６８】
なお、表示パネル５０に設けられる表示領域は、Ｓ１の処理（図５参照）で現在決定されている表示情報１１２に含まれるコンテンツタイトル文字列１４０の数に応じて、ＣＰＵ１４により増減が行われる。例えば、Ｓ１の処理（図５参照）で現在決定されている表示情報１１２に含まれるコンテンツタイトル文字列１４０が５つである場合には、表示領域５１ａ〜５１ｃに加え、更に２つの表示領域が表示パネル５０に設けられる。一方、例えば、Ｓ１の処理（図５参照）で現在決定されている表示情報１１２に含まれるコンテンツタイトル文字列１４０が１つである場合には、表示領域５１ａだけが表示パネル５０に設けられる。
【００６９】
図５の説明に戻る。なお、Ｓ５の処理以降においては、Ｓ５の処理で、図９（ｂ）に示す表示が表示パネル５０に行われたものとして説明を行う。Ｓ５の処理後、ＣＰＵ１４は、表示領域５１ａ〜５１ｃに固定表示されているコンテンツタイトル文字列１４０のいずれかへのタッチ操作が行われたか否かを判定する（Ｓ６）。このタッチ操作が行われたか否かは、例えば、ユーザの指が表示領域５１ａ〜５１ｃのいずれかに触れたか否かで判定される。
【００７０】
ＣＰＵ１４は、Ｓ５の処理で、表示領域５１ａ〜５１ｃに固定表示されているコンテンツタイトル文字列１４０のいずれかへのタッチ操作が行われていないと判定すると（Ｓ６：Ｎｏ）、Ｓ５の処理へ戻る。一方、ＣＰＵ１４は、固定表示されているコンテンツタイトル文字列１４０のいずれかへのタッチ操作が行われたと判定すると（Ｓ６：Ｙｅｓ）、行われたタッチ操作は、固定表示されたコンテンツタイトル文字列１４０の短押し操作か否かを判定する（Ｓ７）。なお、ＣＰＵ１４は、固定表示されたコンテンツタイトル文字列１４０に対して、即ち、表示領域５１ａ〜５１ｃに対して、ユーザのタッチが短時間（例えば、１秒間未満）行われた場合に、短押し操作が行われたと判定する。
【００７１】
ＣＰＵ１４は、Ｓ７の処理で、行われたタッチ操作は、固定表示されたコンテンツタイトル文字列１４０の短押し操作であると判定すると（Ｓ７：Ｙｅｓ）、通常モード処理へ移行する（Ｓ８）。一方、ＣＰＵ１４は、Ｓ７の処理で、行われたタッチ操作は、固定表示されたコンテンツタイトル文字列１４０の短押し操作ではないと判定すると（Ｓ７：Ｎｏ）、行われたタッチ操作は、固定表示されたコンテンツタイトル文字列１４０の長押し操作か否かを判定する（Ｓ９）。なお、ＣＰＵ１４は、固定表示されたコンテンツタイトル文字列１４０に対して、即ち、表示領域５１ａ〜５１ｃに対して、ユーザのタッチが長時間（例えば、１秒間以上）行われた場合に、長押し操作が行われたと判定する。
【００７２】
ＣＰＵ１４は、Ｓ９の処理で、行われたタッチ操作は、固定表示されたコンテンツタイトル文字列１４０の長押し操作であると判定すると（Ｓ９：Ｙｅｓ）、複数選択モード処理へ移行する（Ｓ１０）。一方、ＣＰＵ１４は、Ｓ９の処理で、行われたタッチ操作は、固定表示されたコンテンツタイトル文字列１４０の長押し操作ではないと判定すると（Ｓ９：Ｎｏ）、行われたタッチ操作は、決定ボタン５１ｄの押下操作か否かを判定する（Ｓ１１）。
【００７３】
ＣＰＵ１４は、Ｓ１１の処理で、行われたタッチ操作は、決定ボタン５１ｄの押下操作であると判定すると（Ｓ１１：Ｙｅｓ）、全選択モード処理へ移行する（Ｓ１２）。一方、ＣＰＵ１４は、行われたタッチ操作は、決定ボタン５１ｄの押下操作でないと判定すると（Ｓ１１：Ｎｏ）、行われたタッチ操作は、メイン処理を終了する操作であると判定して、フィード情報利用プログラム１６ｃの起動を終了する終了処理を実行し（Ｓ１３）、メイン処理を終了する。
【００７４】
次に、図６を参照して、ＭＦＰ１０のＣＰＵ１４によって実行される通常モード処理について説明する。図６は、ＭＦＰ１０により実行される通常モード処理を示したフローチャートである。通常モード処理では、まず、Ｓ６の処理（図５参照）で短押し操作されたコンテンツタイトル文字列１４０が、表示情報記憶領域１８ｃに記憶されているか否かが判定される（Ｓ２１）。
【００７５】
Ｓ２１の判定の必要性について説明する。本実施形態のＭＦＰ１０は、インターネット接続プログラム１６ｂを使用してコンテンツ提供サーバ９０，９１に定期的（例えば、３０分毎）にアクセスして、フィード情報を取得し、表示情報記憶領域１８ｃに記憶された表示情報１１２を更新する。よって、コンテンツタイトル文字列１４０が短押し操作された直後に、表示情報１１２が更新されると、短押し操作されたコンテンツタイトル文字列１４０が表示情報記憶領域１８ｃに記憶されていない場合が発生し得る。この場合を想定して、Ｓ２１の判定を行うのである。
【００７６】
ＣＰＵ１４は、Ｓ２１の処理で、短押し操作されたコンテンツタイトル文字列１４０が、表示情報記憶領域１８ｃに記憶されていないと判定すると（Ｓ２１：Ｎｏ）、固定表示されたコンテンツタイトル文字列１４０の短押し操作が新たに行われたか否かを判定する（Ｓ２２）。そして、ＣＰＵ１４は、コンテンツタイトル文字列１４０の短押し操作が新たに行われたと判定した場合には（Ｓ２２：Ｙｅｓ）、Ｓ２１の処理を改めて実行する。一方、ＣＰＵ１４は、コンテンツタイトル文字列１４０の短押し操作が新たに行われていないと判定した場合には（Ｓ２２：Ｎｏ）、コンテンツタイトル文字列１４０の短押し操作が新たに行われるまで、Ｓ２２の処理を繰り返し実行する。
【００７７】
Ｓ２１の処理で、ＣＰＵ１４は、短押し操作されたコンテンツタイトル文字列１４０が、表示情報記憶領域１８ｃに記憶されていると判定すると（Ｓ２１：Ｙｅｓ）、短押しされたコンテンツタイトル文字列１４０に対応するコンテンツ要約文字列１４４を、更新コンテンツ１３２から特定し、その全文を、Ｓ５の処理による表示（図９（ｂ）参照）に代えて、表示パネル５０に固定表示する（Ｓ２３）。このＳ２３の処理では、ＣＰＵ１４は、まず、Ｓ６の処理（図５参照）で短押しされたコンテンツタイトル文字列１４０を特定し、その特定したコンテンツタイトル文字列１４０を含む更新コンテンツ情報１３２（図４参照）を特定する。そして、ＣＰＵ１４は、特定した更新コンテンツ情報１３２に含まれるコンテンツ要約文字列１４４の全文を、Ｓ５の処理による表示に代えて、表示パネル５０に固定表示する。
【００７８】
Ｓ２３の処理後、ＣＰＵ１４は、表示パネル５０に固定表示されているコンテンツ要約文字列１４４の短押し操作が行われたか否かを判定する（Ｓ２４）。なお、コンテンツ要約文字列１４４の短押し操作とは、固定表示されたコンテンツ要約文字列１４４に対してユーザのタッチが短時間（例えば、１秒間未満）行われる操作を示している。
【００７９】
ＣＰＵ１４は、表示パネル５０に固定表示されているコンテンツ要約文字列１４４の短押し操作が行われていないと判定すると（Ｓ２４：Ｎｏ）、決定ボタン５１ｄ（図９（ｂ）参照）が押下されたか否かを判定する（Ｓ２５）。ＣＰＵ１４は、決定ボタン５１ｄが押下されていないと判定すると（Ｓ２５：Ｎｏ）、Ｓ２３の処理へ戻り、コンテンツ要約文字列１４４の固定表示を継続する。
【００８０】
一方、ＣＰＵ１４は、Ｓ２４の処理で、表示パネル５０に固定表示されているコンテンツ要約文字列１４４の短押し操作が行われたと判定した場合（Ｓ２４：Ｙｅｓ）、およびＳ２５の処理で、決定ボタン５１ｄが押下されたと判定した場合には（Ｓ２５：Ｙｅｓ）、短押しされたコンテンツ要約文字列１４４に対応するコンテンツＵＲＬ１４６を、更新コンテンツ情報１３２から特定し、ＰＣ７０，７１へ出力する（Ｓ２６）。このＳ２６の処理では、ＣＰＵ１４は、まず、短押しされたコンテンツ要約文字列１４４を含む更新コンテンツ情報１３２（図４参照）を特定する。そして、ＣＰＵ１４は、特定した更新コンテンツ情報１３２に含まれるコンテンツＵＲＬ１４６を、ネットワークＩ／Ｆ６０を介してＰＣ７０，７１へ出力する。
【００８１】
なお、ＭＦＰ１０から出力されたコンテンツＵＲＬ１４６をＰＣ７０，７１が受信すると、ＰＣ７０，７１は、予めインストールされているブラウザプログラムを起動した後、コンテンツ提供サーバ９０，９１にアクセスして、図９（ｅ）に示すように、ＭＦＰ１０から出力されたコンテンツＵＲＬ１４６の示すコンテンツを表示部８２へ表示する。これにより、ユーザは、固定表示されているコンテンツ要約情報１４４に対応するコンテンツ、即ち、所望のコンテンツを、表示パネル５０よりも大きい画面（広い画面）であるＰＣ７０，７１の表示部８２を使用して快適に確認することができる。
【００８２】
上述した通り、通常モード処理では、Ｓ６の処理（図５参照）で短押しされたコンテンツタイトル文字列１４０に対応するコンテンツ要約文字列１４４の全文を表示パネル５０へ固定表示する。そして、このコンテンツ要約文字列１４４が短押しされると、コンテンツ要約文字列１４４に対応するコンテンツＵＲＬ１４６をＰＣ７０，７１へ出力する。よって、通常モード処理によれば、ユーザによりコンテンツタイトル文字列１４０の短押し操作が行われた場合には、まず、コンテンツ要約文字列１４４を表示して、その後に、コンテンツ要約文字列１４４の短押し操作が行われると、コンテンツＵＲＬ１４６をＰＣ７０，７１へ出力するという、ユーザが操作を行う場合に通常行い得る一般的な操作形態を実現することができる。
【００８３】
次に、図７を参照して、ＭＦＰ１０のＣＰＵ１４によって実行される複数選択モード処理について説明する。図７は、ＭＦＰ１０により実行される複数選択モード処理を示したフローチャートである。なお、複数選択モード処理では、図９（ｃ）に示すように、例えば、表示領域５１ａに固定表示されたコンテンツタイトル文字列１４０が長押し操作された場合に、固定表示のコンテンツタイトル文字列１４０に代えて、そのコンテンツタイトル文字列１４０に対応するコンテンツ要約文字列１４４を表示領域５１ａにスクロール表示する処理や、図９（ｄ）に示すように、図９（ｃ）の状態において、更に、例えば、表示領域５１ｃに固定表示されたコンテンツタイトル文字列１４０が長押し操作された場合に、固定表示のコンテンツタイトル文字列１４０に代えて、そのコンテンツタイトル文字列１４０に対応するコンテンツ要約文字列１４４を表示領域５１ｃにスクロール表示する処理が実行される。
【００８４】
複数選択モード処理では、まず、ＣＰＵ１４は、長押し操作されたコンテンツタイトル文字列１４０またはコンテンツ要約文字列１４４は、表示情報記憶領域１８ｃに記憶されているか否かを判定する（Ｓ３１）。なお、長押し操作は、メイン処理のＳ６の処理（図５参照）では、コンテンツタイトル文字列１４０に対してのみ行われるが、この複数選択モード処理では、長押し操作が、コンテンツタイトル文字列１４０に加え、コンテンツ要約文字列１４４に対しても行われる。よって、ＣＰＵ１４は、Ｓ３１の処理で、コンテンツタイトル文字列１４０に加え、コンテンツ要約文字列１４４に対しても、長押し操作が行われたか否かを判定している。また、ＣＰＵ１４が、Ｓ３１の判定を行う理由は、通常モード処理でＳ２１の判定（図６参照）を行う理由と同様である。
【００８５】
ＣＰＵ１４は、Ｓ３１の処理で、長押し操作されたコンテンツタイトル文字列１４０またはコンテンツ要約文字列１４４が、表示情報記憶領域１８ｃに記憶されていないと判定すると（Ｓ３１：Ｎｏ）、固定表示されたコンテンツタイトル文字列１４０、またはスクロール表示されたコンテンツ要約文字列１４４の長押し操作が新たに行われたか否かを判定する（Ｓ３２）。そして、ＣＰＵ１４は、固定表示されたコンテンツタイトル文字列１４０、またはスクロール表示されたコンテンツ要約文字列１４４の長押し操作が新たに行われたと判定した場合には（Ｓ３２：Ｙｅｓ）、Ｓ３１の処理を改めて実行する。一方、ＣＰＵ１４は、固定表示されたコンテンツタイトル文字列１４０、またはスクロール表示されたコンテンツ要約文字列１４４の長押し操作が新たに行われていないと判定した場合には（Ｓ３２：Ｎｏ）、コンテンツタイトル文字列１４０またはコンテンツ要約文字列１４４の長押し操作が新たに行われるまで、Ｓ３２の処理を繰り返し実行する。
【００８６】
Ｓ３１の処理で、ＣＰＵ１４は、長押し操作されたコンテンツタイトル文字列１４０またはコンテンツ要約文字列１４４が、表示情報記憶領域１８ｃに記憶されていると判定すると（Ｓ３１：Ｙｅｓ）、長押し操作されたコンテンツタイトル文字列１４０またはコンテンツ要約文字列１４４を含む更新コンテンツ情報１３２（図４参照）に対応する選択フラグ１８ｄはオフであるか否かを判定する（Ｓ３３）。
【００８７】
Ｓ３３の処理で、ＣＰＵ１４は、長押し操作されたコンテンツタイトル文字列１４０またはコンテンツ要約文字列１４４を含む更新コンテンツ情報１３２に対応する選択フラグ１８ｄがオフであると判定すると（Ｓ３３：Ｙｅｓ）、長押し操作されたコンテンツタイトル文字列１４０を含む更新コンテンツ情報１３２に対応する選択フラグ１８ｄをオンにする（Ｓ３４）。一方、Ｓ３３の処理で、ＣＰＵ１４は、長押し操作されたコンテンツタイトル文字列１４０またはコンテンツ要約文字列１４４を含む更新コンテンツ情報１３２に対応する選択フラグ１８ｄがオフでないと判定すると、即ち、オンであると判定すると（Ｓ３３：Ｙｅｓ）、長押し操作されたコンテンツ要約文字列１４４を含む更新コンテンツ情報１３２に対応する選択フラグ１８ｄをオンにする（Ｓ３５）。
【００８８】
このＳ３３〜Ｓ３５の処理について詳しく説明する。Ｓ３３の処理で、長押し操作されたコンテンツタイトル文字列１４０またはコンテンツ要約文字列１４４を含む更新コンテンツ情報１３２に対応する選択フラグ１８ｄがオフであると判定されると（Ｓ３３：Ｙｅｓ）、Ｓ３３の処理の時点では、長押し操作された表示領域では、コンテンツ要約情報１４４のスクロール表示が行われていない状態となっている。即ち、長押し操作された表示領域では、コンテンツタイトル文字列１４０が表示パネル５０に固定表示された状態となっている。よって、ユーザが長押し操作できる対象は、固定表示されたコンテンツタイトル文字列１４０となる。従って、ＣＰＵ１４は、Ｓ３３の処理で、長押し操作されたコンテンツタイトル文字列１４０またはコンテンツ要約文字列１４４を含む更新コンテンツ情報１３２に対応する選択フラグ１８ｄがオフであると判定すると（Ｓ３３：Ｙｅｓ）、長押し操作されたのは、コンテンツタイトル文字列１４０であると判定し、Ｓ３４の処理で、長押し操作されたコンテンツタイトル文字列１４０を含む更新コンテンツ情報１３２に対応する選択フラグ１８ｄをオンにするのである。
【００８９】
一方、Ｓ３３の処理で、長押し操作されたコンテンツタイトル文字列１４０またはコンテンツ要約文字列１４４を含む更新コンテンツ情報１３２に対応する選択フラグ１８ｄがオフでない、即ち、選択フラグ１８ｄがオンであると判定されると（Ｓ３３：Ｎｏ）、Ｓ３３の処理の時点では、長押し操作された表示領域では、コンテンツ要約情報１４４のスクロール表示が行われている状態となっている。よって、ユーザが長押し操作できる対象は、スクロール表示されたコンテンツ要約文字列１４４となる。従って、ＣＰＵ１４は、Ｓ３３の処理で、長押し操作されたコンテンツタイトル文字列１４０またはコンテンツ要約文字列１４４を含む更新コンテンツ情報１３２に対応する選択フラグ１８ｄがオンであると判定すると（Ｓ３３：Ｎｏ）、長押し操作されたのは、スクロール表示されているコンテンツ要約文字列１４４であると判定し、Ｓ３４の処理で、長押し操作されたコンテンツ要約文字列１４４を含む更新コンテンツ情報１３２に対応する選択フラグ１８ｄをオンにするのである。
【００９０】
Ｓ３４またはＳ３５のいずれかの処理後、ＣＰＵ１４は、選択フラグ１８ｄが少なくとも１つオンであるか否か、即ち、コンテンツ要約文字列１４４のスクロール表示を少なくとも表示領域５１ａ〜５１ｃのいずれかで行うか否かを判定する（Ｓ３６）。ＣＰＵ１４は、選択フラグ１８ｄのいずれもがオフであると判定すると（Ｓ３６：Ｎｏ）、表示領域５１ａ〜５１ｃのいずれにおいても、コンテンツ要約文字列１４４のスクロール表示を行わないと判定し、メイン処理のＳ５の処理へ戻る（図５参照）。これにより、表示パネル５０は、図９（ｂ）の状態となる。
【００９１】
一方、ＣＰＵ１４は、選択フラグ１８ｄの少なくとも１つがオンであると判定すると（Ｓ３６：Ｙｅｓ）、表示領域５１ａ〜５１ｃのいずれか又は全てにおいて、コンテンツ要約文字列１４４のスクロール表示を行うと判定し、これを実現する処理であるＳ３７以降の処理へ移行する。
【００９２】
Ｓ３７の処理では、ＣＰＵ１４は、選択フラグ１８ｄがオンである更新コンテンツ情報１３２を特定し、その更新コンテンツ情報１３２に含まれるコンテンツ要約文字列１４４をスクロール表示する（Ｓ３７）。そして、ＣＰＵ１４は、選択フラグ１８ｄがオフである更新コンテンツ情報１３２を特定し、その更新コンテンツ情報１３２に含まれるコンテンツタイトル文字列１４０を固定表示する（Ｓ３８）。
【００９３】
ここで、例えば、メイン処理のＳ６の処理で（図５参照）、図９（ｂ）に示す表示領域５１ａに固定表示されたコンテンツタイトル文字列１４０が長押し操作された場合には、Ｓ３７およびＳ３８の処理の実行によって、図９（ｃ）に示すように、表示領域５１ａに固定表示のコンテンツタイトル文字列１４０に代えて、そのコンテンツタイトル文字列１４０に対応するコンテンツ要約文字列１４４が表示領域５１ａにスクロール表示される。ＭＦＰシステム２のユーザは、煩雑な表示切り換え操作を必要とせずに、コンテンツ要約文字列１４４を複数確認することができる。なお、表示領域５１ｂ，５１ｃには、コンテンツタイトル文字列１４０が引き続き固定表示される。
【００９４】
その後、ＣＰＵ１４は、決定ボタン５１ｄが押下されたか否かを判定し（Ｓ３９）、決定ボタン５１ｄが押下されていないと判定すると（Ｓ３９：Ｎｏ）、コンテンツタイトル文字列１４０またはコンテンツ要約文字列１４４の長押し操作が行われたか否かを判定する（Ｓ４０）。
【００９５】
ＣＰＵ１４は、コンテンツタイトル文字列１４０またはコンテンツ要約文字列１４４の長押し操作が行われていないと判定すると（Ｓ４０：Ｎｏ）、Ｓ３７の処理へ戻る。一方、ＣＰＵ１４は、コンテンツタイトル文字列１４０またはコンテンツ要約文字列１４４の長押し操作が行われたと判定されると（Ｓ４０：Ｙｅｓ）、Ｓ３１の処理へ戻り、Ｓ３１〜Ｓ４０の処理を再び実行する。
【００９６】
ここで、例えば、図９（ｃ）に示す状態であったときに、表示領域５１ｃに固定表示されたコンテンツタイトル文字列１４０が長押し操作された場合には、Ｓ４０の処理で「Ｙｅｓ」と判定されて、再び、Ｓ３１〜Ｓ３８の処理が行われる。すると、図９（ｄ）に示すように、表示領域５１ｃに固定表示のコンテンツタイトル文字列１４０に代えて、そのコンテンツタイトル文字列１４０に対応するコンテンツ要約文字列１４４が表示領域５１ｃにスクロール表示される。なお、表示領域５１ａには、コンテンツ要約文字列１４４が引き続きスクロール表示され、表示領域５１ｂには、コンテンツタイトル文字列１４０が引き続き固定表示される。
【００９７】
また、例えば、図９（ｄ）に示す状態であったときに、表示領域５１ｃにスクロール表示されたコンテンツ要約文字列１４４が長押し操作された場合には、Ｓ４０の処理で「Ｙｅｓ」と判定されて、再び、Ｓ３１〜Ｓ３８の処理が行われる。すると、図９（ｃ）に示すように、表示領域５１ｃでのコンテンツ要約文字列１４４のスクロール表示に代えて、そのコンテンツ要約文字列１４４に対応するコンテンツタイトル文字列１４０が再び、表示領域５１ｃに固定表示される。なお、表示領域５１ａには、コンテンツ要約文字列１４４が引き続きスクロール表示され、表示領域５１ｂには、コンテンツタイトル文字列１４０が引き続き固定表示される。
【００９８】
Ｓ３９の処理において、ＣＰＵ１４は、決定ボタン５１ｄが押下されたと判定すると（Ｓ３９：Ｙｅｓ）、選択フラグ１８ｄがオンである更新コンテンツ情報１３２が含んでいるコンテンツＵＲＬ１４６、即ち、スクロール表示されているコンテンツ要約情報１４４が含まれた更新コンテンツ情報１３２が含んでいるコンテンツＵＲＬ１４６を全て特定し、ＰＣ７０，７１へ出力する（Ｓ４１）。このＳ４１の処理では、ＣＰＵ１４は、まず、選択フラグ１８ｄがオンである更新コンテンツ情報１３２（図４参照）を特定する。そして、ＣＰＵ１４は、特定した更新コンテンツ情報１３２に含まれるコンテンツＵＲＬ１４６を、ネットワークＩ／Ｆ６０を介してＰＣ７０，７１へ出力する。
【００９９】
なお、ＭＦＰ１０から出力されたコンテンツＵＲＬ１４６をＰＣ７０，７１が受信すると、ＰＣ７０，７１は、予めインストールされているブラウザプログラムを起動した後、コンテンツ提供サーバ９０，９１にアクセスして、図９（ｅ）に示すように、ＭＦＰ１０から出力されたコンテンツＵＲＬ１４６の示すコンテンツを表示部８２へ表示する。これにより、ユーザは、固定表示されているコンテンツ要約情報１４４に対応するコンテンツ、即ち、所望のコンテンツを、表示パネル５０よりも大きい画面（広い画面）であるＰＣ７０，７１の表示部８２を使用して快適に確認することができる。
【０１００】
Ｓ４１の処理後、ＣＰＵ１４は、選択フラグ１８ｄを全てオフして（Ｓ４２）、この複数選択モード処理を終了する。
【０１０１】
上述した通り、複数選択モード処理では、長押し操作を行うことで、コンテンツタイトル文字列１４０の固定表示を、コンテンツ要約情報１４４のスクロール表示に切り換えることができる。また、スクロール表示されているコンテンツ要約文字列１４４に対応するコンテンツＵＲＬ１４６の全てを、ＰＣ７０，７１へ一編に出力することができる。
【０１０２】
また、複数選択モード処理では、コンテンツタイトル文字列１４０の長押し操作が行われた場合に、スクロール表示するコンテンツ要約文字列１４４を次のようにして特定している。即ち、まず、長押し操作されたコンテンツタイトル文字列１４０を含む更新コンテンツ情報１３２を特定し、その後、その特定した更新コンテンツ情報１３２に含まれるコンテンツ要約文字列１４４を、スクロール表示するコンテンツ要約文字列１４４と特定している。よって、長押し操作されたコンテンツタイトル文字列１４０に対応するコンテンツ要約文字列１４４を、誤りなくスクロール表示させることができる。
【０１０３】
次に、図８を参照して、ＭＦＰ１０のＣＰＵ１４によって実行される全選択モード処理について説明する。図８は、ＭＦＰ１０により実行される全選択モード処理を示したフローチャートである。全選択モード処理では、まず、メイン処理のＳ５の処理（図５参照）の実行により、現在、表示領域５１ａ〜５１ｃに固定表示されている全てのコンテンツタイトル文字列１４０に対応するコンテンツを、ＰＣ７０，７１に表示させるメッセージを表示パネル５０に表示する（Ｓ５１）。このＳ５１の処理では、メイン処理のＳ５の処理の実行により、図９（ｂ）に示すように、表示領域５１ａ〜５１ｃにコンテンツタイトル文字列１４０が固定表示されている場合には、「固定表示された３つのコンテンツタイトル文字列１４０に対応するコンテンツを、ＰＣ７０，７１に表示させますか？」というメッセージを表示パネル５０に表示する。
【０１０４】
次に、ＣＰＵ１４は、Ｓ５１の処理で表示されたメッセージと共に、ＯＫボタン（図示せず）およびキャンセルボタン（図示せず）を表示パネル５０に表示する（Ｓ５２）。そして、ＣＰＵ１４は、ＯＫボタンが押下されたか否かを判定する（Ｓ５３）。
【０１０５】
Ｓ５３の処理で、ＣＰＵ１４は、ＯＫボタンが押下されたと判定した場合には（Ｓ５３：Ｙｅｓ）、現在、表示領域５１ａ〜５１ｃに固定表示されている全てのコンテンツタイトル文字列１４０に対応する全てのコンテンツＵＲＬ１４６を、更新コンテンツ情報１３２から特定し、ＰＣ７０，７１へ出力する（Ｓ５４）。このＳ５４の処理では、ＣＰＵ１４は、まず、固定表示されているコンテンツタイトル文字列１４０を含む更新コンテンツ情報１３２（図４参照）を全て特定する。次に、ＣＰＵ１４は、特定した全ての更新コンテンツ情報１３２に含まれるコンテンツＵＲＬ１４６を全て特定する。そして、特定した全てのコンテンツＵＲＬ１４６を、ネットワークＩ／Ｆ６０を介してＰＣ７０，７１へ出力する。Ｓ５４の処理後、ＣＰＵ１４は、この全選択モード処理を終了する。
【０１０６】
なお、ＭＦＰ１０から出力されたコンテンツＵＲＬ１４６をＰＣ７０，７１が受信すると、ＰＣ７０，７１は、ＭＦＰ１０から出力されたコンテンツＵＲＬ１４６の示すコンテンツを表示部８２へ表示する。これにより、ユーザは、表示領域５１ａ〜５１ｃに固定表示されている全てのコンテンツタイトル文字列１４０に対応するコンテンツ、即ち、所望のコンテンツを、ＰＣ７０，７１の表示部８２を使用して快適に確認することができる。
【０１０７】
一方、Ｓ５３の処理で、ＣＰＵ１４は、ＯＫボタンが押下されていないと判定すると（Ｓ５３：Ｎｏ）、キャンセルボタンが押下されたか否かを判定する（Ｓ５５）。ＣＰＵ１４は、キャンセルボタンが押下されたと判定すると（Ｓ５５：Ｙｅｓ）、表示領域５１ａ〜５１ｃに固定表示されている全てのコンテンツタイトル文字列１４０に対応するコンテンツを、ＰＣ７０，７１に表示させない指示がユーザによって行われたと判定し、メイン処理のＳ５の処理へ戻る（図５参照）。これにより、表示パネル５０は、図９（ｂ）の状態となる。
【０１０８】
一方、Ｓ５５の処理で、ＣＰＵ１４は、キャンセルボタンが押下されていないと判定すると（Ｓ５５：Ｎｏ）、Ｓ５２の処理へ戻る。これにより、ＣＰＵ１４は、ＯＫボタンまたはキャンセルボタンのいずれかが押下されるまで、Ｓ５２，Ｓ５３，Ｓ５５の処理を繰り返し実行する。
【０１０９】
上述した通り、全選択モード処理では、ユーザがＯＫボタンを押下することにより、現在、表示領域５１ａ〜５１ｃに固定表示されている全てのコンテンツタイトル文字列１４０に対応する全てのコンテンツＵＲＬ１４６を、一編にＰＣ７０，７１へ出力することができる。
【０１１０】
上述した通り、本実施形態のＭＦＰシステム２によれば、ＭＦＰ１０は、表示パネル５０でスクロール表示されているコンテンツ要約文字列１４４に対応するコンテンツＵＲＬ１４６の全てを出力するように指示されると、そのコンテンツＵＲＬ１４６の全てを、表示情報記憶領域１８ｃに記憶された更新コンテンツ情報１３２を使用して特定する。そして、ＭＦＰ１０は、その特定された全てのコンテンツＵＲＬ１４６をＰＣ７０，７１へ出力する。ＰＣ７０，７１は、ＭＦＰ１０から出力されたコンテンツＵＲＬ１４６を受信すると、コンテンツ提供サーバ９０，９１にアクセスして、コンテンツ提供サーバ９０，９１が提供するサイトに含まれる各コンテンツを、即ち、ＭＦＰ１０から出力された全てのコンテンツＵＲＬ１４６の示す各コンテンツを、表示部８２へ一編に表示する。よって、ＭＦＰシステム２のユーザは、煩雑な表示切り換え操作を必要とせずに、コンテンツを複数確認することができる。
【０１１１】
また、本実施形態のＭＦＰシステム２によれば、ＭＦＰ１０は、スクロール表示されているコンテンツ要約文字列１４４に対応するコンテンツＵＲＬ１４６を、即ち、ＰＣ７０，７１に出力するコンテンツＵＲＬ１４６を次のようにして特定している。即ち、スクロール表示されているコンテンツ要約文字列１４４を含む更新コンテンツ情報１３２を特定し、その後、その特定した更新コンテンツ情報１３２に含まれるコンテンツＵＲＬ１４６を、ＰＣ７０，７１に出力するコンテンツＵＲＬ１４６と特定している。よって、スクロール表示されているコンテンツ要約文字列１４４に対応するコンテンツＵＲＬ１４６を、誤りなくＰＣ７０，７１へ出力することができる。
【０１１２】
また、本実施形態のＭＦＰシステム２によれば、ＭＦＰ１０は、まず、表示領域５１ａにコンテンツタイトル文字列１４０のスクロール表示を行い、次に、そのスクロール表示されているコンテンツタイトル文字列１４０へのタッチ操作が行われると、現在決定されている表示情報１１２に含まれる全てのコンテンツタイトル文字列１４０を表示領域５１ａ〜５１ｃに固定表示し、最後に、固定表示されたコンテンツタイトル文字列１４０に対応するコンテンツＵＲＬ１４６全ての出力がＯＫボタンの押下により指示されると、その全てのコンテンツＵＲＬ１４６の出力を行う形態となっている。よって、ユーザが操作を行う場合に通常行い得る一般的な操作形態を実現することができる。
【０１１３】
なお、請求項に記載の関連情報取得ステップは、ＭＦＰ１０が、インターネット接続プログラム１６ｂを使用してコンテンツ提供サーバ９０，９１に定期的（例えば、３０分毎）にアクセスして、フィード情報を取得する処理に該当する。また、請求項に記載の記憶ステップは、ＭＦＰ１０が、取得されたフィード情報を解析して、そのフィード情報から生成した表示情報１１２を表示情報記憶領域１８ｃに記憶させる処理に該当する。
【０１１４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１５】
本実施形態においては、ＭＦＰ１０は、通常モード処理のＳ２６の処理（図６参照）、複数選択モード処理のＳ４１の処理（図７参照）および全選択モード処理のＳ５４の処理（図８参照）において、コンテンツＵＲＬ１４６をＰＣ７０，７１へ出力したが、これに限られるものではない。即ち、上述の処理においては、ＭＦＰ１０に予め登録したＰＣのみへ、コンテンツＵＲＬ１４６を出力しても良い。この場合には、コンテンツＵＲＬ１４６が、ＭＦＰ１０に登録していないＰＣへ出力されてしまうことを防止することができる。
【０１１６】
また、本実施形態においては、ＭＦＰ１０は、ブラウザプログラムを有していなかったが、これに限られるものではなく、ＭＦＰ１０は、ブラウザプログラムをＮＶＲＡＭ２０内に有していてもよい。この構成の場合には、次の構成としても良い。即ち、ＭＦＰ１０は、通常モード処理のＳ２６の処理（図６参照）、複数選択モード処理のＳ４１の処理（図７参照）および全選択モード処理のＳ５４の処理（図８参照）においては、コンテンツＵＲＬ１４６をＰＣ７０，７１へ出力するのではなく、ＮＶＲＡＭ２０へ出力し、コンテンツＵＲＬ１４６をＮＶＲＡＭ２０の所定領域に記憶する構成とする。そして、ＭＦＰ１０は、ブラウザプログラムを起動した後、ＭＶＲＡＭ２０の所定領域に記憶されたコンテンツＵＲＬ１４６を使用してコンテンツ提供サーバ９０，９１にアクセスする構成する。そして、ＭＦＰ１０を、コンテンツＵＲＬ１４６の示すコンテンツを表示パネル５０へ表示する構成しても良い。これにより、ユーザは、所望のコンテンツを、ＭＦＰ１０の表示パネル５０を使用して確認することができる。
【０１１７】
また、本実施形態においては、表示パネル５０に設けられる表示領域を、Ｓ１の処理（図５参照）で現在決定されている表示情報１１２に含まれるコンテンツタイトル文字列１４０の数に応じて、ＣＰＵ１４により増減させたが、これに限られるものではない。即ち、表示パネル５０に設けられる表示領域を、例えば、表示領域５１ａ〜５１ｃの３つに固定しても良い。この場合には、ＣＰＵ１４は、Ｓ１の処理（図５参照）で現在決定されている表示情報１１２に含まれるコンテンツタイトル文字列１４０が５つであれば、まず、表示領域５１ａ〜５１ｃに、３つのコンテンツタイトル文字列１４０を固定表示する。次に、その固定表示から所定時間（例えば、３秒）経過すると、残りの２つのコンテンツタイトル文字列１４０を表示領域５１ａ，５１ｂに表示する。そして、残りの２つのコンテンツタイトル文字列１４０の固定表示から所定時間が経過すると、再び、最初の３つのコンテンツタイトル文字列１４０を固定表示する構成すれば良い。この構成の場合には、表示パネル５０における表示領域の占有面積の最大値を一定とすることができるので、表示領域以外の領域に、ＭＦＰ１０に関する情報を表示することができる。
【０１１８】
また、本実施形態においては、コンテンツタイトル文字列１４０の固定表示およびコンテンツ要約文字列１４４のスクロール表示を行う対象をＭＦＰ１０としたが、これに限られるものではない。即ち、コンテンツタイトル文字列１４０の固定表示およびコンテンツ要約文字列１４４のスクロール表示を行う対象を、スキャナ装置、プリンタ装置、或いは電話機等、表示パネル５０が搭載可能である装置としても良い。この構成の場合には、スキャナ装置、プリンタ装置、或いは電話機に設けられた表示パネル５０に、コンテンツタイトル文字列１４０の固定表示およびコンテンツ要約文字列１４４のスクロール表示を行うことができる。
【０１１９】
また、本実施形態のＭＦＰシステム２では、ＭＦＰ１０と、ＰＣ７０，７１とは、ケーブルにて（有線にて）、互いに接続されていたが、これに限られるものではない。即ち、ＭＦＰ１０およびＰＣ７０，７１の各々に無線通信インターフェイスを設け、その無線通信インターフェイスを用いて、ＭＦＰ１０とＰＣ７０，７１とを無線通信によって電気的に接続しても良い。
【０１２０】
また、本実施形態においては、各コンテンツ提供サーバ９０，９１は、コンテンツとフィード情報の両方を記憶していたが、これに限られるものではなく、コンテンツを記憶するためのサーバとフィード情報を記憶するためのサーバが別体に構成されていてもよい。
【図面の簡単な説明】
【０１２１】
【図１】本発明の一実施形態におけるＭＦＰシステムの概略を示した図である。
【図２】ＭＦＰの電気的構成を示すブロック図である。
【図３】ＵＲＬ記憶領域の記憶内容の一例を示した図である。
【図４】表示情報記憶領域の記憶内容の一例を示した図である。
【図５】ＭＦＰにより実行されるメイン処理を示したフローチャートである。
【図６】ＭＦＰにより実行される通常モード処理を示したフローチャートである。
【図７】ＭＦＰにより実行される複数選択モード処理を示したフローチャートである。
【図８】ＭＦＰにより実行される全選択モード処理を示したフローチャートである。
【図９】表示パネルに表示されるコンテンツタイトル文字列１４０等の表示形態を示した図である。
【符号の説明】
【０１２２】
２            ＭＦＰシステム（通信システムの一例）
１０          ＭＦＰ（通信装置の一例）
１６ｂ        インターネット接続プログラム（要約情報取得手段の一例）
１６ｃ        フィード情報利用プログラム（制御プログラムの一例）
１８ｃ        表示情報記憶領域（関連情報記憶手段の一例）
１８ｄ        選択フラグ（特定手段の一部の一例、要約特定手段の一部の一例）
２０ｂ        ＵＲＬ記憶領域（位置情報記憶手段の一例）
５０          表示パネル（複数表示手段の一部の一例、単数表示手段の一例、表示画面の一部の一例）
５１ａ〜５１ｃ        表示領域（複数表示手段の一部の一例）
７０，７１    パーソナルコンピュータ（外部装置の一例）
８２          表示部（表示画面の一部の一例）
Ｓ２          メイン処理（タイトル表示手段の一例）
Ｓ３          メイン処理（タイトル受付手段の一例）
Ｓ５          メイン処理（表示制御手段の一例、関連情報特定手段の一例、全表示制御手段の一例、表示制御ステップの一例）
Ｓ７          メイン処理（第２判定手段の一例）
Ｓ９          メイン処理（第１判定手段の一部の一例）
Ｓ２３        通常モード処理（要約表示手段の一例）
Ｓ２４，Ｓ２５        通常モード処理（要約判定手段の一例）
Ｓ２６        通常モード処理（特定手段の一部の一例、出力手段の一部の一例、第２特定手段の一例、第２出力手段の一例、特定ステップの一部の一例、出力ステップの一部の一例）
Ｓ３７        複数選択モード処理（特定手段の一部の一例、スクロール表示手段の一例、要約特定手段の一部の一例、第１スクロール手段の一例、特定ステップの一部の一例、スクロール表示ステップの一例）
Ｓ３９，Ｓ４０        複数選択モード処理（出力受付手段の一例）
Ｓ４１        複数選択モード処理（特定手段の一部の一例、出力手段の一部の一例、第１判定手段の一部の一例、第１特定手段の一例、第１出力手段の一例、位置情報特定手段の一例、特定ステップの一部の一例、出力ステップの一部の一例）
Ｓ５３        全選択モード処理（全受付手段の一例、第２全受付手段の一例、全受付ステップの一例）
Ｓ５４        全選択モード処理（全位置情報特定手段の一例、出力手段の一例、第２全位置情報特定手段の一例、全出力手段の一例、全位置情報特定ステップの一例、出力ステップの一例）
メイン処理、通常モード処理、複数選択モード処理（受付手段の一例、受付ステップの一例）
【図１】
2010103880.tif 000003
【図２】
2010103880.tif 000004
【図３】
2010103880.tif 000005
【図４】
2010103880.tif 000006
【図５】
2010103880.tif 000007
【図６】
2010103880.tif 000008
【図７】
2010103880.tif 000009
【図８】
2010103880.tif 000010
【図９】
2010103880.tif 000011